(57)【要約】      （修正有）【課題】ワイヤレスネットワークについて干渉管理を改良する方法を提供する。【解決手段】送信電力（例えば、最大送信電力）は、受信器によって許容される最大受信信号強度および受信器における送信ノードからの総受信信号強度に基づいて定義され得る。送信電力は、アクセス・ノードと関連するアクセス端末のカバレッジの許容レベルをなお提供している間にセル（例えば、マクロ・セル）において作り出される対応する機能停止が制限されるようにアクセス・ノード（例えば、フェムト・ノード）のために定義され得る。アクセス・ノードは、干渉を緩和し、自己較正処理を実行するためにチャネル測定および定義カバレッジ・ホールに基づいて送信電力を調整し得る。【選択図】図３
2014003680.tif 000002
【特許請求の範囲】
【請求項１】
最大受信信号強度を決定することと、
総受信信号強度を決定することと、
前記決定最大受信信号強度および前記総受信信号強度に基づいて送信電力値を決定することと、
を備えるワイヤレス通信の方法。
【請求項２】
ノードからのパイロット信号と関連する受信パイロット信号強度を決定することをさらに備え、前記送信電力値の決定は、さらに前記決定された受信パイロット信号強度に基づく、
請求項１に記載の方法。
【請求項３】
前記受信パイロット信号強度の前記決定は、複数のマクロ基地局からパイロット信号を受信することと、前記パイロット信号のどれが最高受信信号強度を有するかを決定することとを備え、
前記決定された受信パイロット信号強度は、前記最高受信信号強度に対応する、
請求項２に記載の方法。
【請求項４】
前記送信電力値は、基地局のダウンリンク送信電力値を備える、
請求項１に記載の方法。
【請求項５】
前記送信電力値は、最大送信電力値を備える、
請求項１に記載の方法。
【請求項６】
所定の限界に基づいて前記送信電力値を制限することをさらに備える、
請求項１に記載の方法。
【請求項７】
前記送信電力値は、第１の予備最大送信電力値を備え、方法は、
少なくとも一つの他の予備最大送信電力値を決定することと、
前記第１および少なくとも一つの他の予備最大送信電力値の最小値に基づいて最大送信電力値を決定することと、
をさらに備える、請求項１に記載の方法。
【請求項８】
前記送信電力値は、フェムト・ノードまたはピコ・ノードのために決定される、
請求項１に記載の方法。
【請求項９】
前記送信電力値が決定されるアクセス・ノードのカバレッジ・エリア内にノードがあるかどうかを決定することと、
前記ノードが前記カバレッジ・エリア内にあるかどうかの前記決定に基づいて前記決定送信電力値を調整することと、
をさらに備える、請求項１に記載の方法。
【請求項１０】
前記送信電力値は、フェムト・ノードまたはピコ・ノードのために決定される、
請求項１に記載の方法。
【請求項１１】
受信器における最大受信信号強度を決定するように構成された受信信号強度決定器と、
総受信信号強度を決定するように構成された総受信信号強度決定器と、
前記受信器における前記決定された最大受信信号強度および前記決定総受信信号強度に基づいて送信電力値を決定するように構成された送信電力制御器と、
を備えるワイヤレス通信のための装置。
【請求項１２】
前記受信信号強度決定器は、ノードからのパイロット信号と関連する受信パイロット信号強度を決定するようにさら構成され、前記送信電力制御器は、前記送信電力値が前記決定された受信パイロット信号強度にさらに基づいて決定するようにさらに構成される、
請求項１１に記載の装置。
【請求項１３】
前記受信パイロット信号強度の前記決定は、複数のマクロ基地局からパイロット信号を受信し、前記パイロット信号のどれが最高受信信号強度を有するかを決定すること、を備え、
前記決定された受信パイロット信号強度は、前記最高受信信号強度に対応する、
請求項１２に記載の装置。
【請求項１４】
前記送信電力値は、基地局のダウンリンク送信電力値を備える、
請求項１１に記載の装置。
【請求項１５】
前記送信電力値は、最大送信電力値を備える、
請求項１１に記載の装置。
【請求項１６】
所定の限界に基づいて前記送信電力値を制限するように構成された限界決定器をさらに備える、
請求項１１に記載の装置。
【請求項１７】
前記送信電力値は、第１の予備最大送信電力値を備え、前記送信電力制御器は、
少なくとも一つの他の予備最大送信電力値を決定し、
前記第１および少なくとも一つの他の予備最大送信電力値の最小値に基づいて最大送信電力値を決定する、
ようにさらに構成される、請求項１１に記載の装置。
【請求項１８】
前記送信電力値は、フェムト・ノードまたはピコ・ノードのために決定される、
請求項１１に記載の装置。
【請求項１９】
前記送信電力値が決定されるアクセス・ノードのカバレッジ・エリア内にノードがあるかどうかを決定するように構成されたノード検出器と、
前記ノードが前記カバレッジ・エリア内にあるかどうかの決定に基づいて前記決定送信電力値を調整するようにさらに構成された前記送信電力制御器と、
をさらに備える、請求項１１に記載の装置。
【請求項２０】
前記送信電力値は、フェムト・ノードまたはピコ・ノードのために決定される、
請求項１１に記載の装置。
【請求項２１】
最大受信信号強度を決定するための手段と、
総受信信号強度を決定するための手段と、
前記決定最大受信信号強度および前記総受信信号強度に基づいて送信電力値を決定するための手段と、
を備える、ワイヤレス通信のための装置。
【請求項２２】
ノードからのパイロット信号と関連する受信パイロット信号強度を決定するための手段をさらに備え、前記送信電力値の前記決定は、前記決定された受信パイロット信号強度に基づく、
請求項２１に記載の装置。
【請求項２３】
前記受信パイロット信号強度の前記決定は、複数のマクロ基地局からパイロット信号を受信するための手段と、前記パイロット信号のどれが最高受信信号強度を有するかを決定するための手段と、を備え、
前記決定された受信パイロット信号強度は、前記最高受信信号強度に対応する、
請求項２２に記載の装置。
【請求項２４】
前記送信電力値は、基地局のダウンリンク送信電力値を備える、
請求項２１に記載の装置。
【請求項２５】
前記送信電力値は、最大送信電力値を備える、
請求項２１に記載の装置。
【請求項２６】
所定の限界に基づいて前記送信電力値を制限するための手段をさらに備える、
請求項２１に記載の装置。
【請求項２７】
前記送信電力値は、第１の予備最大送信電力値を備え、前記装置は、
少なくとも一つの他の予備最大送信電力値を決定するための手段と、
前記第１および少なくとも一つの他の予備最大送信電力値の最小値に基づいて最大送信電力値を決定するための手段と、
をさらに備える、請求項２１に記載の装置。
【請求項２８】
前記送信電力値は、フェムト・ノードまたはピコ・ノードについて決定される、請求項２１に記載の装置。
【請求項２９】
前記送信電力値が決定されるためのアクセス・ノードのカバレッジ・エリア内にノードがあるかどうかを決定するための手段と、
前記ノードが前記カバレッジ・エリア内にあるかどうかの決定に基づいて前記決定送信電力値を調整するための手段と、
をさらに備える、請求項２１に記載の装置。
【請求項３０】
前記送信電力値は、フェムト・ノードまたはピコ・ノードのために決定される、
請求項２１に記載の装置。
【請求項３１】
最大受信信号強度を決定し、
総受信信号強度を決定し、
前記決定最大受信信号強度および前記総受信信号強度に基づいて送信電力値を決定する、
ことをコンピュータにもたらすコードを備えるコンピュータ可読媒体、
を備えるコンピュータ・プログラム製品。
【請求項３２】
前記コンピュータ可読媒体は、ノードからのパイロット信号と関連する受信パイロット信号強度を決定することを前記コンピュータにもたらすコードをさらに備え、前記送信電力値の決定は、前記決定された受信パイロット信号強度にさらに基づく、
請求項２１に記載のコンピュータ・プログラム製品。
【請求項３３】
前記受信パイロット信号強度の前記決定は、複数のマクロ基地局からパイロット信号を受信し、前記パイロット信号のどれが最高受信信号強度を有するかを決定することを備え、
前記決定された受信パイロット信号強度は、前記最高受信信号強度に対応する、
請求項３２に記載のコンピュータ・プログラム製品。
【請求項３４】
前記送信電力値は、基地局のためのダウンリンク送信電力値を備え、
請求項３１に記載のコンピュータ・プログラム製品。
【請求項３５】
前記送信電力値は、最大送信電力値を備える、
請求項３１に記載のコンピュータ・プログラム製品。
【請求項３６】
前記コンピュータ可読媒体は、所定の限界に基づいて前記送信電力値を制限することを前記コンピュータにもたらすコードをさらに備える、
請求項１１に記載のコンピュータ・プログラム製品。
【請求項３７】
前記送信電力値は、第１の予備最高送信電力値を備え、前記コンピュータ可読媒体は、
少なくとも一つの他の予備最大送信電力値を決定し、
前記第１および少なくとも一つの他の予備最大送信電力値の最小値に基づいて最大送信電力値を決定する、
ことを前記コンピュータにもたらすコードをさらに備える、請求項３１に記載のコンピュータ・プログラム製品。
【請求項３８】
前記送信電力値は、フェムト・ノードまたはピコ・ノードのために決定される、請求項３１記載の前記コンピュータ・プログラム製品。
【請求項３９】
前記送信電力値が決定されるアクセス・ノードのカバレッジ・エリア内にノードがあるかどうかを決定し、
前記ノードがカバレッジ・エリア内にあるかどうかの前記決定に基づいて前記決定送信電力値を調整する、
ことを前記コンピュータにもたらすコードをさらに備える、請求項３１に記載のコンピュータ・プログラム製品。
【請求項４０】
前記送信電力値は、フェムト・ノードまたはピコ・ノードのために決定される、
請求項３１に記載のコンピュータ・プログラム製品。
【発明の詳細な説明】
【関連出願】
【０００１】
米国特許法第１１９条の下での優先権の主張  
本特許出願は、参照によって本明細書に明示的に組み込まれ、代理人整理番号０８１５８５Ｐ１が割り当てられた、２００８年５月１３日に出願した共同所有の米国仮出願第６１／０５２，９６９号の優先権を主張するものである。
【技術分野】
【０００２】
本特許出願は、一般にワイヤレス通信に関し、特に、しかし限定的ではなく、通信性能を向上させることに関する。
【背景技術】
【０００３】
ワイヤレス通信システムは、様々な形式の通信（例えば、音声、データ、マルチメディア・サービス、等）を多数のユーザに提供するために広く配置されている。ハイ・レートおよびマルチメディア・データ・サービスの要求が急速に増大しているので、そこには性能を強化した効率的で強固な通信システムをインプリメントするチャレンジがある。
【０００４】
従来の携帯電話ネットワーク（例えば、マクロ・セル・ネットワーク）の基地局を補完するために、スモール・カバレッジ基地局が、例えば、ユーザ宅に配置され得る。そのようなスモール・カバレッジ基地局は、一般にアクセス・ポイント基地局、ホーム・ノードＢ、またはフェムト・セルとして知られており、そしてより強固な室内ワイヤレスカバレッジをモバイル・ユニットに提供するために使用されることができる。典型的に、そのようなスモール・カバレッジ基地局は、ＤＳＬルータまたはケーブル・モデムを介してインターネットおよびモバイル・オペレータのネットワークに接続される。
【０００５】
一般的なマクロ・セル配置では、ＲＦカバレッジは、カバレッジを最適化するためにセルラ・ネットワーク・オペレータによって計画され、管理される。一方、フェムト基地局は、加入者によって個人的に取付けられ、そしてアドホックな方法で配置され得る。従って、フェムト・セルは、マクロ・セルのアップリンク（ＵＬ）およびダウンリンク（ＤＬ）上の両方で干渉の原因となり得る。例えば、住居の窓の近くに取付けられたフェムト基地局は、フェムト・セルのサービスを受けない家の外のいずれのアクセス端末にも重大なダウンリンク干渉をもたらし得る。同じく、アップリンク上では、フェムト・セルのサービスを受けるホーム・アクセス端末はマクロ・セル基地局（例えば、マクロ・ノードＢ）において干渉の原因となり得る。
【０００６】
マクロおよびフェムト配置の間の干渉は、マクロ・セルラ・ネットワークより離れたＲＦキャリア周波数上でフェムト・ネットワークを動作させることによって緩和され得る。
【０００７】
フェムト・セルはまた無計画の配置の結果として相互に干渉し得る。例えば、マルチレジデントアパート（multi-resident apartment）では、二つの住居を分割する壁の近くに取付けられたフェムト基地局は、近隣の住居に重大な干渉を生じ得る。ここで、ホーム・アクセス端末によって見られる最強（例えば、アクセス端末に受信されるＲＦ信号強度が最強）のフェムト基地局は、必ずしもそのフェムト基地局によって強制された制限関連施策によるアクセス端末のサービス基地局であるとは限られ得ない。
【０００８】
このようにフェムト基地局のワイヤレス周波数（ＲＦ）カバレッジが携帯電話会社によって最適化されない場合、およびそのような基地局の配置がアドホックである場合、ＲＦ干渉問題が通信システムにおいて発生し得る。このように、ワイヤレスネットワークについて干渉管理を改良する必要性がある。
【発明の概要】
【０００９】
開示のサンプル態様の概要は以下に述べる。ここでの用語態様への参照は、開示の一以上の態様を参照することと理解すべきである。
【００１０】
開示は、ある態様では最良受信マクロ・アクセス・ノードの受信信号強度および他の全てのノードからの受信信号強度に基づいて送信電力（例えば、最大電力）を決定することに関する。このように、アクセス・ノード（例えば、フェムト・ノード）はマクロ・アクセス・ノード信号レベルおよび他のフェムト・ノード信号に応じて送信電力を適応的に調整する。
【００１１】
開示は、いくつかの態様ではセル（例えば、マクロ・セル）において作り出された対応する機能停止（outage）（例えば、カバレッジ・ホール）がアクセス・ノード（例えば、フェムト・ノード）と関連するアクセス端末のカバレッジの許容レベルをまだ提供している間に制限されるようにアクセス・ノードの送信電力を定義することに関連する。いくつかの態様では、これらの技法は近接チャネルにおけるカバレッジ・ホールについて採用され（例えば、近接ＲＦキャリア上でインプリメントされる）、そして共同設置チャネルにおけるカバレッジ・ホールについて採用され得る（例えば、同じＲＦキャリア上でインプリメントされる）。
【００１２】
開示は、いくつかの態様では干渉を緩和するためにアクセス・ノード（例えば、フェムト・ノード）におけるダウンリンク送信電力を自律的に調整することに関する。いくつかの態様では、送信電力は、チャネル測定および定義されたカバレッジ・ホールに基づいて調整される。ここで、携帯電話オペレータは、カバレッジ・ホール、および／または送信電力を調整するために使用されるチャネル特性を指定し得る。
【００１３】
いくつかの態様では、アクセス・ノードは、マクロ・アクセス・ノードからの信号の受信信号強度を測定し、そしてマクロ・セルにおけるカバレッジ・ホールに関係する送信電力限界を決定する。送信電力限界に基づいて、アクセス・ノードは特定の送信電力値を選択し得る。例えば、アクセス・ノードにおける送信電力は、最良受信マクロ・アクセス・ノードの受信信号強度および他の全てのノードからの受信信号強度に基づいて調整され得る。
【００１４】
開示は、いくつかの態様では最良受信マクロ・アクセス・ノードの受信信号強度および他の全てのノードからの受信信号強度に基づいて送信電力を定義することに関係する。例えば、アクセス・ノードはそれがインストールされる場合にデフォルト送信電力（例えば、パイロット部分値）で動作し始め、最良受信マクロ・アクセス・ノードの受信信号強度および他の全てのノードからの受信信号強度に基づいて送信電力を後で動的に調整し得る。
【００１５】
開示はいくつかの態様では近隣アクセス・ノードのダウンリンク送信電力を適応的に調整することに関係する。いくつかの態様では、アクセス・ノード間の情報の共有は、ネットワーク性能を高めるために利用され得る。例えば、アクセス端末が近隣アクセス・ノードから高い干渉レベルを受けているならば、この干渉に関する情報はアクセス端末のホーム・アクセス・ノードを介して近隣アクセス・ノードに中継され得る。特定の例として、アクセス端末は、そのホーム・アクセス・ノードに近隣レポートを送り得、それによってそのレポートはアクセス端末が近隣のアクセス・ノードからの理解できる受信信号強度を示す。アクセス・ノードは、それからホーム・アクセス端末が近隣レポートにおけるアクセス・ノードの一つによって不当に干渉されているかどうかを判定し得る。そうであるならば、アクセス・ノードは、アクセス・ノードがその送信電力を低減させることを要求するメッセージを干渉アクセス・ノードに送り得る。同様の機能は集中電力制御器の使用によって達成され得る。
【００１６】
開示のこれらおよび他のサンプル態様は詳細な説明および後に続く添付の請求項において、および付随の図面において記述されることになる。
【図面の簡単な説明】
【００１７】
【図１】マクロ・カバレッジおよびより小規模のカバレッジを含む通信システムのいくつかのサンプル態様の簡単な図である。
【図２】アクセス・ノードのいくつかのサンプル態様の簡単なブロック図である。
【図３】最良受信マクロ・アクセス・ノードの受信信号強度および他の全てのノードからの最大受信信号強度に基づいて送信電力を決定するために実行され得る動作のいくつかのサンプル態様のフローチャートである。
【図４】信号対雑音比に基づいて送信電力を決定するために実行され得る動作のいくつかのサンプル態様のフローチャートである。
【図５】ワイヤレス通信のためのカバレッジ・エリアを例示する簡単な図である。
【図６】近隣フェムト・セルを含む通信システムのいくつかのサンプル態様の簡単な図である。
【図７】近隣アクセス・ノードの送信電力を制御するために実行され得る動作のいくつかのサンプル態様のフローチャートである。
【図８】別のノードからの要求に応答して送信電力を調整するために実行され得る動作のいくつかのサンプル態様のフローチャートである。
【図９】集中電力制御を含む通信システムのいくつかのサンプル態様の簡単な図である。
【図１０】集中電力制御を使用してアクセス・ノードの送信電力を制御するために行われ得る動作のいくつかのサンプル態様のフローチャートである。
【図１１Ａ】集中電力制御を使用してアクセス・ノードの送信電力を制御するために実行され得る動作のいくつかのサンプル態様のフローチャートである。
【図１１Ｂ】集中電力制御を使用してアクセス・ノードの送信電力を制御するために実行され得る動作のいくつかのサンプル態様のフローチャートである。
【図１２】フェムト・ノードを含むワイヤレス通信システムの簡単な図である。
【図１３】通信コンポーネントのいくつかのサンプル態様の簡単なブロック図である。
【図１４】ここに教示された電力制御を提供するように構成された装置のいくつかのサンプル態様の簡単なブロック図である。
【図１５】ここに教示された電力制御を提供するように構成された装置のいくつかのサンプル態様の簡単なブロック図である。
【発明を実施するための形態】
【００１８】
共通の実施に従って、図面において例示した様々な特徴は、基準化して描かれ得ない。従って、様々な特徴の寸法は、明確化のために任意に拡大され、或いは縮小され得る。その上、いくつかの図は明確化のために簡単化され得る。このように、図面は所与の装置（例えば、デバイス）または方法の全てのコンポーネントを図示し得ない。最終的に、同じ参照数字が仕様および図の全体を通して同じ特徴を表すために使用され得る。
【００１９】
開示の様々な態様は、以下に記述される。それはここでの教示が多種多様な形式で具体化され得ること、およびここに開示されるいずれの特定の構造、機能、または両者も単なる典型であることは明白であるべきである。この教示に基づいて、当業者は、ここに開示された態様が他のいずれの態様とも無関係にインプリメントされ得ること、および二つ以上のこれらの態様が様々な方法で組み合わされ得ることを認識すべきである。例えば、ここに示された多数の態様を用いて装置はインプリメントされ、或いは方法は実施され得る。その上、ここに示された一以上の態様に加えて、またはそれとは別に他の構造、機能、または構造および機能を用いて装置はインプリメントされ、或いは方法は実施され得る。さらに、態様は少なくとも請求項の一つのエレメントを備え得る。
【００２０】
図１は、マクロ・スケール・カバレッジ（例えば、一般にマクロ・セル・ネットワークと称され得る、３Ｇネットワークのようなラージ・エリア・セルラ・ネットワーク）および小規模のカバレッジ（例えば、住居ベースまたは建物ベースのネットワーク環境）を含むネットワーク・システム１００のサンプル態様を例示する。アクセス端末１０２Ａのようなノードは、ネットワークの中を移動するので、アクセス端末１０２Ａはある場所ではエリア１０６によって表されるマクロ・カバレッジを提供するアクセス・ノード（例えば、アクセス・ノード１０４）によるサービスを受け、一方アクセス端末１０２Ａは、他の場所でエリア１１０によって表されるスモール・カバレッジを提供するアクセス・ノード（例えば、アクセス・ノード１０８）によるサービスを受け得る。いくつかの態様では、より小さいカバレッジ・ノードは、漸進的な容量増加、ビルディング内カバレッジ、および（例えば、さらに強固なユーザ・エクスペリエンスのために）異なるサービスを提供するために使用され得る。
【００２１】
下記でさらに詳細に議論されるように、アクセス・ノード１０８は、それがあるサービスをあるノード（例えば、ビジタ・アクセス端末１０２Ｂ）に提供しないことで制限され得る。その結果、（例えば、カバレッジ・エリア１１０に対応する）カバレッジ・ホールがマクロ・カバレッジ・エリア１０６に作りだされ得る。
【００２２】
カバレッジ・ホールのサイズは、アクセス・ノード１０４およびアクセス・ノード１０８が同じ周波数キャリア上で動作しているかどうかによって決まり得る。例えば、ノード１０４および１０８が（例えば、同じ周波数キャリアを使用する）共通チャネル上にある場合、カバレッジ・ホールは、カバレッジ・エリア１１０に対応し得る。このように、この場合にはアクセス端末１０２Ａは、それが（例えば、アクセス端末１０２Ｂの幻影で示される）カバレッジ・エリア１１０の中にあるときマクロ・カバレッジ・エリアを失い得る。
【００２３】
ノード１０４および１０８が（例えば 、異なる周波数キャリアを使用する）隣接チャネル上にあるとき、小さいカバレッジ・ホール１１２は、アクセス・ノード１０８からの隣接チャネル干渉の結果としてマクロ・カバレッジ・エリア１０６に作り出され得る。このように、アクセス端末１０２Ａが隣接チャネル上で動作しているとき、アクセス端末１０２Ａは、アクセス・ノード１０８に近い場所（例えば、カバレッジ・エリア１１２のまさしく外側）でマクロ・カバレッジを受信し得る。
【００２４】
システム設計パラメータに応じて、共通チャネル・カバレッジ・ホールは、比較的大きくなり得る。例えば、スモール・スケール・ノード１０８の送信電力が０ｄＢｍの場合、自由空間伝播損失、およびスモール・スケール・ノード１０８とアクセス端末１０２Ｂとの間に隔壁がない最悪の場合を仮定すると、小さいスケール・ノード１０８の干渉が熱雑音下限と少なくとも同じである半径は、４０メートル程度であり得る。
【００２５】
このようにマクロ・カバレッジにおける機能停止を最小にすることとさらに指定されたより小さいスケール環境（例えば、住宅内のフェムト・ノード・カバレッジ）内の適切なカバレッジを維持することとの間にトレードオフが存在する。例えば、限定されたフェムト・ノードがマクロ・カバレッジの端にあるとき、アクセスしているアクセス端末がフェムト・ノードに近付くにつれて、アクセスしているアクセス端末は、マクロ・カバレッジを失い、そして呼を落とす可能性がある。そのような場合には、マクロ・セル・ネットワークに関する一つの解は、アクセスしているアクセス端末を別のキャリアに移動させることである（例えば、そこではフェムト・ノードからの隣接チャネル干渉は小さい）。しかしながら、各オペレータに利用可能な限られたスペクトルのために、別のキャリア周波数の使用は必ずしも実用的とは限らないかもしれない。従って、その他のオペレータと関連するアクセスしているアクセス端末はそのキャリア上に限定されたフェムト・ノードによって作り出されたカバレッジ・ホールに悩まされ得る。
【００２６】
図２〜１１Ｂと関連して詳述されるように、ノードの送信電力値は、そのような干渉を管理し、および／または他の同様の問題に対応するように定義され得る。いくつかのインプリメンテーションにおいて、定義された送信電力は、最大送信電力、フェムト・ノードの送信電力、またはパイロット信号を送信するための電力（例えば、パイロット部分値によって示さる）の少なくとも一つに関係し得る。
【００２７】
便宜上、下記は送信電力がマクロ・ネットワーク環境の中に配置されたフェムト・ノードについて定義される様々なシナリオを述べる。ここで、用語「マクロ・ノード」は、いくつかの態様において比較的大きなエリア上でカバレッジを提供するノードを云う。用語「フェムト・ノード」は、いくつかの態様において比較的小さなエリア（例えば、住宅）上でカバレッジを提供するノードを云う。マクロ・エリアより小さく、そしてフェムト・エリアより大きいエリア上でカバレッジを提供する（例えば、商業ビル内でカバレッジを提供する）ノードは、ピコ・ノードと云われ得る。ここにおける教示は、様々なタイプのノードおよびシステムによってインプリメントされることを認識すべきである。例えば、ピコ・ノードまたはいくつかの他のタイプのノードは、異なる（例えば、さらに大きい）カバレッジ・エリアについてフェムト・ノードと同じか、または同様の機能を提供し得る。このように、ピコ・ノードは、限定され、ピコ・ノードは、一以上のホーム・アクセス端末等と関連し得る。
【００２８】
様々なアプリケーションでは、他の用語がマクロ・ノード、 フェムト・ノード、またはピコ・ノードを参照するために使用され得る。例えば、マクロ・ノードは、アクセス・ノード、基地局、アクセス・ポイント、ｅノードＢ、マクロ・セル、マクロ・ノードＢ（ＭＮＢ）、等として構成される、または称され得る。さらに、フェムト・ノードは、ホーム・ノードＢ（ＨＮＢ）、ホームｅノードＢ、アクセス・ポイント基地局、フェムト・セル、等々として設定され、または称され得る。同じく、マクロ・ノード、 フェムト・ノードまたはピコ・ノードと関連するセルは、マクロ・セル、フェムト・セル、またはピコ・セルとしてそれぞれ称され得る。いくつかのインプリメンテーションでは、各セルはさらに一以上のセクタと関連付けられる（例えば、分割される）。
【００２９】
上で述べたように、フェムト・ノードは、いくつかの態様において限定され得る。例えば、所与のフェムト・ノードは、アクセス端末の限られた集合にのみサービスを行い得る。このように、いわゆる限定（または非公開）された関連を持つ配置では、所与のアクセス端末は、マクロ・セル・モバイル・ネットワークおよびフェムト・ノードの限られた集合（例えば、対応するユーザ住宅の中に在駐するフェムト・ノード）によるサービスを受け得る。
【００３０】
限定されたフェムト・ノード（それはまた非公開加入者グループ・ホーム・ノードＢ（Closed Subscriber Group Home nodeB）と称され得る）に関連するアクセス端末の限られた設定集合は、必要に応じて一時的にまたは永久的に拡張される。いくつかの態様では、非公開加入者グループ（ＣＳＧ：Closed Subscriber Group）は、アクセス端末の共通アクセス・コントロール・リストを共有するアクセス・ノード（例えば、フェムト・ノード）のセットとして定義され得る。いくつかのインプリメンテーションでは、地域の全てのフェムト・ノード（または限られた全てのフェムト・ノード）は、指定チャネル上で動作し、それはフェムト・チャネルと称され得る。
【００３１】
様々な関係が限定されたフェムト・ノードと所与のアクセス端末との間で定義され得る。例えば、アクセス端末の観点から、オープン・フェムト・ノードは、限られた関連を持たないフェムト・ノードと称され得る。限定されたフェムト・ノードは、いくつかの方法で限定される（例えば、関連および／または登録について限定される）フェムト・ノードと称され得る。ホーム・フェムト・ノードは、アクセス端末がアクセスおよび動作を認可されるフェムト・ノードと称され得る。ゲスト・フェムト・ノードは、アクセス端末が一時的にアクセスおよび動作を認可されるフェムト・ノードと称され得る。エイリアン・フェムト・ノードは、アクセス端末がおそらく緊急事態（例えば、９１１呼出）を除いてはアクセスおよび動作を認可されないフェムト・ノードと称され得る。
【００３２】
限定されたフェムト・ノードの観点から、ホーム・アクセス端末（またはホーム・ユーザ装置（ＨＵＥ）は、限定されたフェムト・ノードへアクセスを認可されるアクセス端末と称され得る。ゲスト・アクセス端末は、限定されたフェムト・ノードへの一時的なアクセスを持つアクセス端末と称され得る。エーリアン・アクセス端末は、おそらく９１１呼のような緊急事態を除いて、限定されたフェムト・ノードへアクセスする許可を持たないアクセス端末と称され得る。このように、いくつかの態様では、エーリアン・アクセス端末は、限定されたフェムト・ノードとともに登録する資格認定および許可を持たないものとして定義され得る。限定されたフェムト・セルによって現在限定される（例えば、アクセスを拒絶される）アクセス端末は、ビジタ・アクセス端末としてここに参照される。アクセスしているアクセス端末は、このようにエーリアン・アクセス端末に対応し、そしてサービスが許されないとき、ゲスト・アクセス端末に対応し得る。
【００３３】
図２は、ここに教示された一以上のインプリメンテーションにおいて使用され得るアクセス・ノード２００（以後、フェムト・ノード２００として参照される）の様々なコンポーネントを例示する。例えば、図２で示したコンポーネントの異なる構成は、図３−１１Ｂの異なる例に採用され得る。このようにいくつかのインプリメンテーションにおいてノードは、図２で示したコンポーネントの全てを組み込んでいないが、他のインプリメンテーション（例えば、ノードが送信電力を決定するために多数のアルゴリズムを使用する場合）ではノードは、図２で描写した大部分または全てのコンポーネントを採用し得ることを認識すべきである。
【００３４】
つまり、フェムト・ノード２００は、他のノード（例えば、アクセス端末）と通信するための送受信器２０２を含む。送受信器２０２は、信号を送るための送信器２０４と信号を受信するための受信器２０６を含む。フェムト・ノード２００は、また送信器２０４の送信電力（例えば、最大送信電力）を決定するための送信電力制御器２０８を含む。フェムト・ノード２００は、ここに教示した他のノードとの通信を管理するためそして他の関連の機能を提供するための通信制御器２１０を含む。フェムト・ノード２００は、様々な情報を記憶するための一以上のデータ・メモリ２１２を含む。フェムト・ノード２００は、さらにここに教示した他のノードへのアクセスを管理するため、そして他の関連の機能を提供するための認可制御器２１４を含み得る。図２に例示した他のコンポーネントは、以下で記述される。
【００３５】
システム１００およびフェムト・ノード２００のサンプル動作は、図３、４、７、８、および１０−１１Ｂのフローチャートと共に記述される。便宜上、図３、４、７、８、および１０−１１Ｂの動作（またはここに議論され、または教示された他の動作）は、特定のコンポーネント（例えば、フェムト・ノード２００のコンポーネント）によって実行されるように記述され得る。しかしながら、これらの動作は、他の形式のコンポーネントによって実行され、異なる数のコンポーネントを使用して実行され得ることを認識すべきである。ここに記述された一以上の動作は、さらに所定のインプリメンテーションでは使用され得ないことを認識すべきである。
【００３６】
図３を最初に参照すると、開示は、いくつかの態様ではマクロ・ノードの受信信号強度に基づいて送信器の送信電力を定義することに関係する。図３はマクロ・ノードからの最大受信信号強度のようなチャネル条件に基づいて送信電力を決定するために実行され得る動作を例示する。
【００３７】
ブロック３０２によって表されるように、いくつかの場合にはアクセス・ノードの送信電力の決定は、ノードがそのアクセス・ノードのカバレッジ・エリアにあるという決定によって行使されるか、または基づき得る。例えば、フェムト・ノード２００は、ホーム・アクセス端末（例えば、データ・アクセスを認可されるノード）がフェムトのカバレッジ・エリアに入ったと判定するならば、そのフェムトの送信電力を再較正することを選択し得る。加えて、フェムト・ノード２００は、（例えば、それはデータ・アクセスを認可されない）アクセスしているアクセス端末がそのカバレッジ・エリアに入ったと決定するならば、その送信電力を再較正すること（例えば、電力を低減させること）を選択し得る。このために、フェムト・ノード２００は、特定のタイプのノードが所与のカバレッジ・エリアにあるかどうかを決定し得るノード検出器２２４を含み得る。
【００３８】
ブロック３０４によって表されるように、フェムト・ノード２００がその送信電力を（例えば、電力増加、周期的、またはブロック４０２のようなトリガに応答して）較正することを選択する場合には、フェムト・ノード２００は、例えば、ＥｃｐおよびＩｏのその測定を較正するためにアクセス端末からの測定レポートを使用し得る。このために、フェムト・ノード２００は、受信信号測定を調整または較正するための測定レポートを受信し、それによって作動する送信器較正器２２６を含み得る。さらに、例えば、較正は、様々な形の受信信号強度に依存し、いくつかのインプリメンテーションでは受信信号強度決定器２２８は、フェムト・ノード２００による受信パイロット強度（Ｅｃｐ）および総受信信号強度（Ｉｏ）の測定の較正のためにホーム・ユーザ装置からの総受信信号強度値（例えば、受信信号強度指標ＲＳＳＩ）を決定し得る。
【００３９】
ブロック３０６によって表されるように、フェムト・ノード２００（例えば、送信電力制御器２０８）は、受信信号強度に基づいて送信電力値（例えば、最大値）を決定する。例えば、送信電力が受信信号強度指標に少なくとも一部基づくインプリメンテーションでは、送信電力は、フェムト・アクセス端末における受信信号強度の減少に応答するあるいはフェムト・アクセス端末における受信信号強度が閾値レベル以下に低下する場合に増加され得る。逆に、送信電力は、フェムト・アクセス端末における受信信号強度の増加に応答するあるいはフェムト・アクセス端末における受信信号強度が閾値レベル以上に上昇する場合に低減され得る。特別な例として、長い期間にわたって要求されるＤＲＣがいつも非常に高ければ、これは送信電力値があまりにも高いという指標に役立ち、フェムト・ノード２００は、従ってより低い送信電力値で動作することを選択し得る。
【００４０】
さらに、ブロック３０６によって表されるように、フェムト・ノード２００（例えば、受信信号強度決定器２２８）は、アクセスしているアクセス端末のチャネル（これはフェムトまたは異なるチャネルまたは両者と同じチャネルであってもよい）上の最良マクロ・アクセス・ノードのパイロット強度（例えば、ＲＳＣＰ）のような、受信信号強度を決定する。言い換えれば、最高の受信信号強度を持つパイロット信号の信号強度は、ブロック３０６で決定される。受信信号強度決定器２２８は、様々な方法で受信パイロット強度を決定し得る。例えば、いくつかのインプリメンテーションではフェムト・ノード２００は、パイロット強度を測定する（例えば、受信器２０６は適切なチャネルを監視する）。いくつかのインプリメンテーションではパイロット強度に関する情報は、別のノード（例えば、ホーム・アクセス端末）から受信され得る。この情報は例えば、（信号強度を測定したノードからのような）実際のパイロット強度測定、またはパイロット強度値を決定するために使用され、信号強度値２３２で記憶される形式を取り得る。
【００４１】
従って、図３のブロック３０８によって示されるように、図２のフェムト・ノード２００（例えば、全ての信号強度決定器２３０）は、アクセスしているアクセス端末のチャネル（これはフェムトまたは異なるチャネルまたは両者と同じチャネルであってもよい）上の総受信信号強度（例えば、ＲＳＳＩ）を決定する。総信号強度決定器２３０は、様々な方法で信号強度を決定し得る。例えば、いくつかのインプリメンテーションではフェムト・ノード２００は、信号強度を測定する（例えば、受信器２０６は、適切なチャネルをモニタする）。いくつかのインプリメンテーションで信号強度に関する情報は、別のノード（例えば、ホーム・アクセス端末）から受信され、信号強度値２３２で記憶され得る。この情報は、例えば（信号強度を測定したノードからのような）、実際の信号強度、または信号強度値を決定するために使用される情報の形式を取り得る。
【００４２】
ブロック３１０によって表されるように、フェムト・ノード２００（例えば、限界決定器２３４）は、計算における最悪の場合の誤差を抑え、なんらかの規制仕様を強要するために規制限界を計算し、限界値２３６で記憶され得る。
【００４３】
上記の計算および決定は、特定の典型的なシステムについてここに確認される。例えば、Ｗ−ＣＤＭＡおよびｌｘＲＴＴシステムでは、パイロットおよび制御チャネルはトラフィックとともに符号分割多重化され、そして限度いっぱいの電力で送信されない（例えば、Ecp/Io<1.0）。このように、フェムト・ノードが測定を実行する場合、近隣マクロ・セルがロードされてなければ、総干渉信号強度値RSSIMACRO_ACは、近隣マクロ・セルがロードされる場合の対応値より低くなり得る。一つの例では、最悪の場合のシナリオを考えて、フェムト・ノードは、システムロードを推定し、そして十分にロードされたシステムの値を予測するためにRSSIMACRO_AC値を調整し得る。
【００４４】
次の例では、全ての量は、（ｄＢの代りに）線形単位を持ち、そしてIHNB_LINEARは、アクセスするアクセス端末のフェムト・ノードによって作り出された干渉に対応する。図３のブロック３１２によって表されるように、フェムト・ノード２００（例えば、送信電力制御器２０８）は、フェムト・ノード２００において受信されるマクロ・ノード（例えば、マクロ・セル）からの送信の受信信号レベルに基づいて最大送信電力を決定する。上で言及したように、図３の動作は、隣接チャネルまたは共通チャネルのいずれかの上でカバレッジ・ホールを制限するために使用され得る。
【００４５】
いくつかの態様では、フェムト・ノードは、このようにフェムト・ノード２００からの決定受信電力信号レベルを対応する許容電力値に変換し得る。送信電力は、このようにフェムト・ノードのホーム・アクセス端末の動作を不当に制限することなく、（例えば、カバレッジ・ホールの端に対応する）フェムト・ノードからの所定の最小距離においてビジタ・アクセス端末の動作を可能にするように定義され得る。従って、ビジタおよびホーム・アクセス端末の両方がカバレッジ・ホールの端の近くで効果的に動作することが可能であり得る。
【００４６】
ブロック３１４によって表されるように、いくつかのインプリメンテーションではフェムト・ノード２００は、（例えば、配置の際に送信電力を一度単純に決定することとは対照的に）上記の送信電力較正動作のいずれかを繰返して実行し得る。例えば、フェムト・ノード２００は、それが最初に配置されるときデフォルト送信電力値を使用し、時間とともに送信電力を周期的に較正し得る。この場合には、フェムト・ノード２００は他のいくつかの時点において図３の一以上の動作を実行し得る（例えば、信号強度またはチャネル品質情報を取得または受信する）。いくつかの場合には、送信電力は、長時間にわたって所望のチャネル品質を維持するために調整され得る。いくつかの場合には、フェムト・ノードが（例えば、近隣のアパートユニットが新しいフェムト・ノードを取付けるような）環境における変化に適応するように、その動作は、繰返して（例えば、毎日）実行され得る。いくつかの場合には、そのような較正動作は、（例えば、ヒステリシスまたはフィルタリング技法の使用によって）送信電力の大きな、および／または急速な変化を緩和するために適応され得る。
【００４７】
上記を考慮して、フェムト・ノードと関連していないマクロ・アクセス端末（例えば、アクセスしているアクセス端末）がフェムト・ノードのカバレッジ・エリアにあるか、またはその近くにあるというシナリオに関するさらなる考慮がここに扱われるであろう。ここで、これらのマクロ・アクセス端末が限定された関連要求のためにフェムト・ノードにハンドオフすることができない場合、（例えば、窓の近くに配置された）フェムト・ノードは、（例えば、街路の）そばを通過するマクロ・アクセス端末を妨害する。
【００４８】
以下のパラメータが議論に使用される：  
EcpMNB_UE：マクロ・アクセス端末（例えば、ＵＥ）による最良マクロ・アクセス・ノード（例えば、ＭＮＢ）からの受信パイロット強度（ＲＳＣＰ）（線形単位）。  
EcpMNB_HNB：フェムト・ノード（例えば、ＨＮＢ）による最良のマクロ・アクセス・ノードからの受信パイロット強度（ＲＳＣＰ）（線形単位）。  
EcHNB_UE：マクロ・アクセス端末によるフェムト・ノードからの総受信信号強度（ＲＳＳＩ）（線形単位）。（同じくRSSIMNB_UEとして知られる）。  
図４をここで参照すると、いくつかのインプリメンテーションでは、フェムト・ノード２００によって定義された最大送信電力は、カバレッジ・ホールの端の周辺に位置するホーム・アクセス端末の信号対雑音比に基づいて制約され得る。例えば、カバレッジ・ホールが終わると予測される所に配置されたホーム・アクセス端末において信号対雑音比が予測より高ければ、これはカバレッジ・ホールが所望よりも実際に遥かに大きいことを意味する。その結果、不当な干渉が目的とするカバレッジ・ホールの端の近くでアクセスしているアクセス端末に加えられ得る。
【００４９】
開示は、いくつかの態様ではホーム・アクセス端末における信号対雑音比が予測より高ければ送信電力を低減させることに関係する。以下のパラメータが以下の議論において使用される：  
IoUE：フェムト・ノードがない場合に全てのアクセス・ノード（例えば、ノードＢ）からのホーム・アクセス端末（例えば、ＵＥ）による総受信信号強度（Ｉｏ）（線形単位）。  
IoHNB：システムにおける他の全てのアクセス・ノード（例えば、マクロおよびフェムト・アクセス・ノード）からのホーム・アクセス端末による総受信信号強度（Ｉｏ）（線形単位）。  
PLHNB_edge：フェムト・ノード（例えば、ＨＮＢ）からカバレッジ・ホールの端におけるホーム・アクセス端末へのパスロス（ｄＢ単位）。  
フェムト・ノードが送信していない場合、マクロ・アクセス端末による受信Ecp/Ioは：
【数１】
2014003680.tif 000003
【００５０】
であり得る。
【００５１】
フェムト・ノードが送信している場合、アクセス端末による受信Ecp/Ioは：
【数２】
2014003680.tif 000004
【００５２】
であり得る。
【００５３】
パラメータ[Ecp/Io]minは、適切なサービスを有するマクロ・アクセス端末について最小必要なEcp/Ioとして定義される。マクロ・アクセス端末がフェムト・ノード・カバレッジ・ホールの端にあり、そしてカバレッジ・ホールがある値（例えば、PLHNB_edge=80dB）に制限されると仮定して、（例えば、マクロ・アクセス端末について[Ecp/Io]minを維持するために）フェムト・ノード・ダウンリンク最大送信電力について以下の条件：
【数３】
2014003680.tif 000005
【００５４】
を課し得る。
【００５５】
同様に、フェムト・ノードによってサービスされるホーム・アクセス端末（例えば、ホームＵＥ、ＨＵＥ）がフェムト・カバレッジの端に位置している場合、ホーム・アクセス端末によって経験される（例えば、干渉を含む、用語ＳＩＮＲは、以下の議論において使用されることになる）ＳＮＲは：
【数４】
2014003680.tif 000006
【００５６】
として記述される。
【００５７】
いくつかの場合には、式３は、不必要に高いSINRHUEをもたらすフェムト・ノードに対して比較的大きな送信電力レベルになる。これは、例えば、新しいフェムト・ノードが古いフェムト・ノードの近辺に取付けられるならば、新しいフェムト・ノードは、結局以前に取付けられたフェムト・ノードから高レベルの干渉を受けることになることを意味し得る。その結果、新しく取付けられたフェムト・ノードは、低い送信電力レベルに制限され得、そしてそのホーム・アクセス端末に十分なＳＩＮＲを提供し得ない。このタイプの影響を防ぐために、ＳＩＮＲ上限（cap）は、そのホーム・アクセス端末のカバレッジの端におけるホーム・アクセス端末について[SINR]max_at_HNB_edgeとして使用される。このように、PHNB_maxの第２の制限を：
【数５】
2014003680.tif 000007
【００５８】
として提供し得る。
【００５９】
式３および式５に述べたような制限を適用するために、ＨＮＢカバレッジ（PLHNB_edge）の端においてEcpMNB_UEおよびIoUEを測定し得る。専門の取付けは（例えば、財政的制限によって）フェムト・ノードについて実用的ではないので、フェムト・ノードは、ダウンリンク・チャネルのそれ自身の測定によってこれらの量を推定し得る。例えば、フェムト・ノードは、EcpMNB_HNBおよびIoUEをそれぞれ推定するために測定：EcpMNB_HNBおよびIoHNBを行い得る。このシナリオは、式１９と共に下記でさらに詳細に議論される。フェムト・ノードの位置は、アクセス端末の位置とは異なるので、これらの測定にはいくらかの誤差があり得る。
【００６０】
例示的な実施例では、フェムト・ノードがそれ自身の送信電力の適応のためにそれ自身の測定を使用するならば、この誤差は、最適条件と較べて低い、または高い電力値をもたらす。最悪の場合の誤差を防ぐ実用的な方法として、ある上限および下限は（例えば、上で議論されたように）PHNB_max_limitおよびPHNB_min_limitとしてPHNBに課せられる。
【００６１】
上記を考慮して、図４のブロック４０２を参照すると、送信電力調整アルゴリズムは、このようにフェムト・ノードの近くのホーム・アクセス端末を識別することを含み得る。図２の例では、この動作は、ノード検出器２２４によって実行され得る。いくつかのインプリメンテーションでは、ホーム・アクセス端末の位置は、（例えば、ここに議論されたように）ホーム・アクセス端末とフェムト・ノードとの間のパスロス測定に基づいて決定され得る。
【００６２】
ブロック４０４において、フェムト・ノード２００（例えば、ＳＮＲ決定器２４２）は、ホーム・アクセス端末と関連するＳＮＲ値（例えば、ＳＩＮＲ）を決定し得る。いくつかの場合には、これは、（例えば、チャネル品質レポートまたは測定レポートにおいて）ホーム・アクセス端末からＳＮＲ情報を受信することを含み得る。例えば、ホーム・アクセス端末は、測定ＲＳＳＩ情報または計算ＳＮＲ情報をフェムト・ノード２００に送り得る。いくつかの場合には、ホーム・アクセス端末によって提供されたＣＱＩ情報は、ホーム・アクセス端末のＳＮＲ値に（例えば、既知の関係によって）相関され得る。このように、フェムト・ノード２００は、受信チャネル品質情報からＳＮＲを導出し得る。
【００６３】
上記で言及したように、ＳＮＲ値を決定することは、フェムト・ノード２００がここで議論されたＳＮＲ値を自律的に計算することを含み得る。例えば、フェムト・ノード２００がそれ自身に測定動作を実行する場合には、フェムト・ノード２００は初めに：  
EcpMNB_HNB；最良のマクロ・アクセス・ノードからのフェムト・ノードによる総受信パイロット強度  
IoHNB：システム中の他の全てのアクセス・ノード（例えば、マクロおよびフェムト・ノード）からのフェムト・ノードによる総受信信号強度（Ｉｏ）  
を測定し得る。
【００６４】
その後フェムト・ノード２００は、上限電力：
【数６】
2014003680.tif 000008
【００６５】
を決定し得る。
【００６６】
ここで、式６は図３において議論されたと同様な方法で決定された最大送信電力に関係し、式７は、ＳＮＲに基づいて送信電力の別の最大限界を決定することに関係する。Ｉｏがフェムト・ノードにおいて測定されるということを除けば式６は式３に類似していることが認められ得る。このように、式６は、ホーム・ノードＢカバレッジの端におけるマクロ・アクセス端末のEcp/Ioが最小Ecp/Io以下にならないことを保証する。これらの式の双方において、決定送信電力はフェムト・ノードにおいて受信された信号、およびカバレッジ端へのパスロスに基づく（例えば、カバレッジ端への距離に基づく）。
【００６７】
図４のブロック４０６において、フェムト・ノード２００（例えば、送信電力制御器２０８）は、式６および式７によって定義された最大値に基づいて送信電力を決定し得る。それに加えて、上で言及したように最終的な最大電力値は、絶対最小値および最大値：
【数７】
2014003680.tif 000009
【００６８】
によって制限され得る。
【００６９】
式８の例として、PLHNB_edgeは、８０ｄＢに指定され、PHNB_max_limitは、２０ｄＢｍに指定され、PHNB_min_limitは１０ｄＢｍに指定され、そして[SINR]max_at_HNB_edgeおよび[Ecp/Io]maxは、使用する特定のエア・インタフェース技法に依存し得る。
【００７０】
上で言及したように、この教示は、マクロ・カバレッジ・エリアおよびフェムト・カバレッジ・エリアを含むワイヤレスネットワークにおいてインプリメントされ得る。図５は、いくつかのトラッキング・エリア５０２（またはルーティング・エリアまたはロケーション・エリア）が定義されるネットワークのカバレッジ・マップ５００の例を示す。特に、トラッキング・エリア５０２Ａ、５０２Ｂ、および５０２Ｃと関連するカバレッジのエリアは、図５において太線で表現される。
【００７１】
そのシステムは、例えば、各セルが対応するアクセス・ノード５０６によってサービスを受ける、マクロ・セル５０４Ａおよび５０４Ｂのような多数のセル５０４（六角形で表される）を介してワイヤレス通信を提供する。図５に示したように、アクセス端末５０８（例えば、アクセス端末５０８Ａおよび５０８Ｂ）は、やがて所与の時点でネットワークを通じて様々な場所に分散され得る。例えば、アクセス端末５０８が稼働しているかどうか、そしてそれがソフト・ハンドオフしているかどうかに応じて、アクセス端末５０８は、所与の時期にフォワード・リンク（ＦＬ）および／またはリバース・リンク（ＲＬ）上で一以上のアクセス・ノード５０６と通信する。そのネットワークは、大きな地理的領域上でサービスを提供し得る。例えば、マクロ・セル５０４は近隣におけるいくつかのブロックの範囲をカバーし得る。図５の複雑さを低減するために、少しだけのアクセス・ノード、アクセス端末、およびフェムト・ノードが示される。
【００７２】
トラッキング・エリア５０２は、フェムト・カバレッジ・エリア５１０を含み得る。この例では、各々のフェムト・カバレッジ・エリア５１０（例えば、フェムト・カバレッジ・エリア５１０Ａ）は、マクロ・カバレッジ・エリア５０４（例えば、マクロ・カバレッジ・エリア５０４Ｂ）の中に描かれている。しかしながら、フェムト・カバレッジ・エリア５１０は、完全にマクロ・カバレッジ・エリア５０４の中にあるとは限らないことを認識すべきである。実際上、多数のフェムト・カバレッジ・エリア５１０は、所与のトラッキング・エリア５０２またはマクロ・カバレッジ・エリア５０４によって定義される。同じく、一以上のピコ・カバレッジ・エリア（示されない）は、所与のトラッキング・エリア５０２またはマクロ・カバレッジ・エリア５０４の中で定義される。図５の複雑さを減らすために、少しだけのアクセス・ノード５０６、アクセス端末５０８、およびフェムト・ノード５１０が示される。
【００７３】
図６は、フェムト・ノード６０２がアパートに配置されるネットワーク６００を例示する。特に、この例ではフェムト・ノード６０２Ａは、アパート１に配置され、そしてフェムト・ノード６０２Ｂはアパート２に配置される。フェムト・ノード６０２Ａは、アクセス端末６０４Ａのホーム・フェムトである。フェムト・ノード６０２Ｂはアクセス端末６０４Ｂのホーム・フェムトである。
【００７４】
図６に例示したように、フェムト・ノード６０２Ａおよび６０２Ｂが限定される場合について、各アクセス端末６０４は、ただその関連（例えば、ホーム）フェムト・ノード６０２によってサービスを受け得る。いくつかの場合には、しかしながら、制限付関連は、フェムト・ノードの負のジオメトリ状況（negative geometry situation）および機能停止をもたらし得る。例えば、図６ではフェムト・ノード６０２Ａは、フェムト・ノード６０２Ｂよりアクセス端末６０４Ｂに近く、従ってアクセス端末６０４Ｂにおいてより強い信号を提供し得る。その結果、フェムト・ノード６０２Ａは、アクセス端末６０４Ｂにおける受信と不当に干渉し得る。そのような状況はこのように関連アクセス端末６０４がシステムを最初に取得し、システムへ接続されたままにあるフェムト・ノード６０２の周囲のカバレッジ半径に影響し得る。
【００７５】
ここで図７−１１Ｂを参照すると、開示は、いくつかの態様では負のジオメトリのシナリオを緩和するために近隣アクセス・ノードの送信電力（例えば、最大ダウンリンク送信電力）を適応的に調整することに関係する。例えば、以上で記述したように最大送信電力は、最大アクセス・ノード送信電力のそれらのデフォルト部分としてそのとき送信されるオーバーヘッド・チャネルとして定義され得る。例示の目的のために、下記はフェムト・ノードの送信電力が近隣フェムト・ノードと関連するアクセス端末によって生成された測定レポートに基づいて制御されるシナリオを述べる。しかしながら、ここにおける教示は、他の形式のノードにも適用され得ることを認識すべきである。
【００７６】
ここに教示された送信電力制御は、フェムト・ノードにおいてインプリメントされる分配電力制御手法によって、および／または集中電力制御器の使用によってインプリメントされ得る。前者の場合には、送信電力の調整は近隣フェムト・ノード（例えば、同じオペレータに関連するフェムト・ノード）間の信号通信の使用によって達成され得る。そのような信号通信は、例えば、アッパ・レイヤ信号通信（例えば、バックホールを経由して）または適切な無線コンポーネントの使用によって達成され得る。上で言及した後者の場合には、所与のフェムト・ノードの送信電力に対する調整は、フェムト・ノードと集中電力制御器との間の信号通信を介して達成され得る。
【００７７】
フェムト・ノードおよび／または集中電力制御器は、アクセス端末によって通報された測定を利用し、送信電力を低減させる要求をフェムト・ノードに送るかどうか決定するために一以上のカバレッジ基準を評価し得る。そのような要求を受信するフェムト・ノードは、それがカバレッジ半径を維持することができるならば、そしてその関連するアクセス端末が良好なジオメトリ条件を保っているならば、その送信電力を下げることによって応答し得る。
【００７８】
図７は、近隣フェムト・ノードが一つの別の送信電力を制御するために協働するインプリメンテーションに関するいくつかの動作を示す。ここで、近隣ノードの送信電力が調整されるべきかどうかを決定するために様々な基準が使用され得る。例えば、いくつかの態様では電力制御アルゴリズムは、（例えば、あるCPIH Ecp/Ioは、フェムト・ノードから離れてあるパスロスが維持される）フェムト・ノードの周辺の特定のカバレッジ半径を維持しようと試み得る。いくつかの態様では、電力制御アルゴリズムは、アクセス端末においてあるサービス品質（例えば、処理能力）を維持しようと試み得る。初めに、図７および８の動作が前者のアルゴリズムのコンテキストで記述される。
【００７９】
図７のブロック７０２によって表されるように、所与のフェムト・ノードは、初めにその送信電力を定義された値に設定する。例えば、システムにおける全てのフェムト・ノードは、マクロ・カバレッジ・エリアにおけるカバレッジ・ホールの導入をなお緩和する最大送信電力にそれらそれぞれの送信電力を最初にセットし得る。特定の例として、フェムト・ノードのための送信電力は、フェムト・ノードから（例えば、８０ｄＢ）離れてあるパスロスのマクロ・アクセス端末のＣＰＩＨ Ecp/Ioがある閾値（例えば、−１８ｄＢ）以上になるように設定され得る。いくつかのインプリメンテーションでは、フェムト・ノードは、最大送信電力値を達成するために図２〜４と関連して上で述べた一以上のアルゴリズムを採用し得る。
【００８０】
ブロック７０４によって表されるように、ネットワーク中の各アクセス端末（例えば、フェムト・ノードと関連する各アクセス端末）は、それがその動作帯域で受信する信号の信号強度を測定する。各アクセス端末はそれから、例えば、そのフェムト・ノードのＣＰＩＨ ＲＳＣＰ（パイロット強度）、その近隣リストにおける全てのフェムト・ノードのＣＰＩＨ ＲＳＣＰ、および動作帯域のＲＳＳＩを含む近隣レポートを生成する。
【００８１】
いくつかの態様では、各アクセス端末は、そのホーム・フェムト・ノードからの要求に応答してこの動作を実行し得る。例えば、所与のフェムト・ノードは、それがそのホーム・アクセス端末に送る近隣フェムト・ノードのリストを保持し得る。この近隣リストは、アッパ・レイヤ処理によってフェムト・ノードに供給される、或いはフェムト・ノードは、ダウンリンク・トラフィックをモニタリングすることによって独自にリストを投入し得る（そうするために提供されたフェムト・ノードが適切な回路を含む）。フェムト・ノードは、近隣レポートに関して要求をそのホーム・アクセス端末に繰返して（例えば、周期的に）送り得る。
【００８２】
ブロック７０６および７０８によって表されるように、フェムト・ノード（例えば、図２の送信電力制御器２０８）は、そのホーム・アクセス端末の各々における信号受信が受入可能であるかどうかを決定する。例えば、特定のカバレッジ半径を維持しようとするインプリメンテーションについて、アクセス端末「ｉ」は、フェムト・ノード「ｉ」から離れてあるパスロス（ＰＬ）であると仮定して（例えば、フェムト・ノード「ｉ」によって測定された場所は、あまり変わらないであろうと仮定して）、所与のフェムト・ノード「ｉ」（例えば、ホーム・ノードＢ、「ＨＮＢ」）は、所与の関連アクセス端末「ｉ」（例えば、ホーム・ユーザ装置「ＨＵＥ」）のＣＰＩＨ Ecp/Ioを推定する。ここでアクセス端末「ｉ」のEcp/Io_iは：
【数８】
2014003680.tif 000010
【００８３】
である。
【００８４】
いくつかのインプリメンテーションでは、フェムト・ノード（例えば、信号強度決定器２２６）は、そのホーム・アクセス端末のためにＲＳＳＩを決定し得る。例えば、フェムト・ノードは、アクセス端末によってレポートされたＲＳＣＰ値に基づいてアクセス端末のＲＳＳＩを決定し得る。そのような場合には、アクセス端末は、近隣レポートにおいてＲＳＳＩ値を送る必要はない。いくつかのインプリメンテーションでは、フェムト・ノードは、そのホーム・アクセス端末のためにＲＳＳＩおよび／またはＲＳＣＰを決定し得る（例えば、推定する）。例えば、信号強度決定器２２６はフェムト・ノードにおけるＲＳＳＩを測定し、受信パイロット強度決定器２２８は、フェムト・ノードにおけるＲＳＣＰを測定し得る。
【００８５】
フェムト・ノード「ｉ」は、アクセス端末「ｉ」のカバレッジが受入可能かどうかを決定するためにEcp/Io_iが閾値以下か、等しいかを決定する。カバレッジが受入可能であるならば、動作フローは、ブロック７０４に戻り得る。ここで、フェムト・ノード「ｉ」は、次の近隣レポートを受信するために待つ。このように、フェムト・ノードは、長時間にわたってそのホーム・アクセス端末の状態を繰返してモニタし得る。
【００８６】
ブロック７０８でカバレッジが受入可能でないならば、フェムト・ノード「ｉ」は、一以上の近隣のフェムト・ノードの送信電力を調整するために動作を開始し得る。初めに、ブロック７１０で表されるように、フェムト・ノード「ｉ」は、その送信電力を最大許容値（例えば、ブロック７０２で議論された最大値）に設定する。ここで、例えば、フェムト・ノード「ｉ」がその送信電力を低減させるために近隣フェムト・ノードからの介入要求に従ったならば、フェムト・ノード「ｉ」の送信電力は、例えば、それがブロック７０２で最大値に設定された後、低減される。いくつかのインプリメンテーションでは、送信電力を増加させた後、フェムト・ノード「ｉ」は、アクセス端末「ｉ」のカバレッジがすぐに受入可能かどうかを決定する。そうであるならば、動作のフローは上で議論されたようにブロック７０４に戻り得る。そうでなければ、動作フローは、下記で議論されるようにブロック７１２へ進む。いくつかのインプリメンテーションでは、フェムト・ノード「ｉ」は、ブロック７１０の影響をチェックせずに次の動作を実行し得る。
【００８７】
ブロック７１２によって表されるように、フェムト・ノード「ｉ」（例えば、送信電力制御器２０８）は、アクセス端末で測定されたそれらの対応ＲＳＣＰの強度によって近隣レポートにおいてフェムト・ノードをランク付けし得る。潜在的な干渉ノード２４６のランク付けされたリストは、そこでデータ・メモリ２１２に記憶され得る。下記で議論されるように、動作ブロック７１２は、送信電力を低減させる要求に応答してＮＡＣＫを送った任意の近隣フェムト・ノードを除外し得る。ここで、そのＮＡＣＫと関連するタイマは、まだ終了していない。
【００８８】
ブロック７１４によって表されるように、フェムト・ノード「ｉ」（例えば、送信電力制御器２０８）は、最強の干渉近隣フェムト・ノード（例えば、フェムト・ノード「ｊ」）を選択し、そして指定カバレッジ半径においてアクセス端末［ｉ］について所与のＥｃｐ／Ｉｏ（パスロス）を維持するためにその送信電力をどれだけ低減すべきかを決定する。いくつかの態様では、電力低減の量（例えば、パーセント）は、パラメータalpha_pで表され得る。いくつかの態様では、ブロック７１４の動作は、Ecp/Io_iが上記で議論された閾値より大きいか、または等しいかどうかを決定することを含み得る。
【００８９】
次に、フェムト・ノード「ｉ」（例えば、送信器２０４および通信制御器２１０）は、指定の量（例えば、alpha_p）だけその電力を下げるためにそれを要求するフェムト・ノード「ｊ」にメッセージを送る。フェムト・ノード「ｊ」がそのような要求を受信する際に実行し得るサンプル動作は図８と関連して下記で述べられる。
【００９０】
ブロック７１６によって表されるように、フェムト・ノード「ｉ」（例えば、受信器２０６および通信制御器２１０）は、ブロック７１４の要求に応答してフェムト・ノード「ｊ」からメッセージを受信することになる。フェムト・ノード「ｊ」がその送信電力を要求量だけ低減させることを選択した場合には、フェムト・ノード「ｊ」は、承認（ＡＣＫ）によって要求に応答することになる。この場合、動作フローは、上で述べたブロック７０４へ戻り得る。
【００９１】
フェムト・ノード「ｊ」がその送信電力を要求量だけ低減させることを選択しなかった場合には、フェムト・ノード「ｊ」は、否定応答（ＮＡＣＫ）によって要求に応答することになる。その応答において、フェムト・ノード「ｊ」は、それが全くその電力を低減させなかったこと、或いはそれが要求量より少ない所与の量だけその電力を低減させたことを示し得る。この場合には、動作フローは、フェムト・ノード「ｉ」がアクセス端末「ｉ」によって測定されたＲＳＣＰに従って（例えば、新しく受信された近隣レポートに基づいて）近隣レポートにおいてフェムト・ノードを再ランク付けするブロック７１２へ戻り得る。ここで、しかしながら、フェムト・ノード「ｊ」は、そのＮＡＣＫと関連するタイマが終了していないかぎりこの順位付けから除外されることになる。ブロック７１２から７１８までの動作は、アクセス端末「ｉ」のＥｃｐ／Ｉｏが目標値にあるか、或いはできる限り改善してしまうまでこのように繰返され得る。
【００９２】
図８は、送信電力を低減する要求を受信するフェムト・ノードによって実行され得るサンプル動作を例示する。そのような要求の受信は、ブロック８０２によって表される。図２のノード２００がさらにこれらの動作を実行することができるインプリメンテーションにおいて、ブロック８０２の動作は、受信器２０６および通信制御器２１０によって少なくとも一部実行され、ブロック８０４−８０８および８１２−８１４の動作は、送信電力制御器２０８によって少なくとも一部実行され、そしてブロック８１０の動作は、送信器２０４および通信制御器２１０によって少なくとも一部実行され得る。
【００９３】
ブロック８０４−８０６で、送信電力が要求されたように調整されるならば、フェムト・ノードは、一以上のホーム・アクセス端末のカバレッジが受入可能かどうかを決定する。例えば、フェムト・ノード「ｊ」は、そのアクセス端末の各々がブロック７０６で述べたテストに類似のテストをパスするか否かを決定することによってその送信電力をalpha_p*HNB_Tx_jに下げる要求を評価し得る。ここで、フェムト・ノード「ｊ」は、指定カバレッジ半径における関連アクセス端末のＥｃｐ／Ｉｏが閾値より大きいか、或いは等しいかどうかを決定し得る。
【００９４】
カバレッジがブロック８０６で受入可能であるならば、フェムト・ノード「ｊ」は、定義された時間期間のその送信電力を要求量だけ低減させる（ブロック８０８）。ブロック８１０で、フェムト・ノード「ｊ」は、ＡＣＫによって要求に応答する。動作のフローは、そこでブロック８０２に戻り得、それによってフェムト・ノードは、それらが受信される送信電力を低減させるためになんらかの追加の要求を処理する。
【００９５】
カバレッジがブロック８０６で受入可能でなければ、フェムト・ノード「ｊ」は、ブロック８０４のテストが合格するようにそれがその送信電力をどれだけ下げ得るかを決定する。ここで、いくつかの場合には、フェムト・ノード「ｊ」がその送信電力を全く低減させないことを選択し得ることを認識すべきである。
【００９６】
ブロック８１４で、フェムト・ノード「ｊ」が定義された時間期間について、適用可能であるならば、ブロック８１２で決定された量だけその送信電力を低減させる。例えば、この量は、値beta_p*HNB_Tx_jで表され得る。
【００９７】
ブロック８１６で、フェムト・ノード「ｊ」は、そこで否定応答（ＮＡＣＫ）によって要求に応答することになる。その応答において、フェムト・ノード「ｊ」は、それがその電力を全く低減させなかったこと、或いはそれが所与の量（例えば、beta_p*HNB_Tx_j）だけその電力を低減させたことを示し得る。動作フローは、上で述べたブロック８０２へ戻り得る。
【００９８】
いくつかのインプリメンテーションでは、フェムト・ノード「ｉ」およびフェムト・ノード「ｊ」は、ＡＣＫまたはＮＡＣＫと関連して定義された時間周期の間をカウントするそれぞれのタイマを保持する。ここで、そのタイマが終了した後、フェムト・ノード「ｊ」は、その送信電力を以前のレベルにリセットし得る。このように、フェムト・ノード「ｊ」は、フェムト・ノード「ｉ」が移動してしまった場合に不利にされるのを回避し得る。
【００９９】
さらに、ある場合には、ネットワーク内のフェムト・ノードは、最後にアクセス端末がフェムト・ノードと接続したアクセス端末から受信した測定（例えば、近隣レポート）を記憶する。このように、アクセス端末がフェムト・ノードに現在接続されてない場合には、フェムト・ノードは、初期取得のEcp/Ioカバレッジを保証する最小送信電力を計算し得る。
【０１００】
フェムト・ノードがそれらの電力を低減させるために要求を全ての近隣フェムト・ノードへ送り、特定のカバレッジ半径において所望のカバレッジをなお維持できない場合、フェムト・ノードは、その共通パイロットEc/Iorが目標カバレッジに到達するためにそのデフォルト・レベルを超過してどれだけ増加されることが必要かを計算し得る。その後フェムト・ノードは、（例えば、プリセット最大値内で）そのパイロット電力の割合を上げ得る。
【０１０１】
従って、カバレッジ半径を維持するために以上で述べたようなスキームを利用するインプリメンテーションは、ネットワークにおいて送信電力値を効率的にセットするために使用され得る。例えば、そのようなスキームは、アクセス端末が指定カバレッジ半径内にあるならば有することになるジオメトリ（および処理能力）に、より低い境界をセットし得る。さらに、そのようなスキームは、より静的である電力プロファイルをもたらし得、それによって電力プロファイルは、フェムト・ノードがネットワークに付加され、或いはネットワークから取除かれる場合にのみ変化し得る。いくつかのインプリメンテーションでは、ＣＰＩＣＨ機能停止を排除するために、以上のスキームは、ＣＰＩＣＨ EC/Iorがフェムト・ノードで収集された測定値に従って適応されるように修正され得る。
【０１０２】
所与のフェムト・ノードは、その関連するアクセス端末の全てについてブロック７０４−７１８の動作を実行し得る。一以上のアクセス端末がフェムト・ノードと関連する場合、そのフェムト・ノードは、その関連アクセス端末の任意の１つが干渉されているときはいつでも要求を干渉フェムト・ノードに送り得る。
【０１０３】
同様に送信電力を低減する要求に応答するか否かを評価している場合、フェムト・ノードは、全てのその関連アクセス端末についてブロック８０４のテストを実行する。その後フェムト・ノードは、全ての関連アクセス端末に受入可能な性能を保証することになる最小電力を選択し得る。
【０１０４】
その上、ネットワーク中の各フェムト・ノードは、そのそれぞれのアクセス端末についてこれらの動作を実行し得る。従って、ネットワーク中の各ノードは、送信電力を低減するために要求を近隣のノードに送る、或いは送信電力を低減するために要求を近隣のノードから受信し得る。フェムト・ノードは、相互に関して非同期的方法でこれらの動作を実行し得る。
【０１０５】
以上で言及したように、いくつかのインプリメンテーションではサービス基準の品質（例えば、処理能力）は、フェムト・ノードの送信電力を低減するかどうかを決定するために採用され得る。そのような手法は、以上のスキームに加えて、或いは以上の手法の代りに採用され得る。
【０１０６】
以上で議論されたのと同様の方法で、RSCP_i_jは、アクセス端末「ｉ」（HUE_i）によって測定されたフェムト・ノード「ｊ」（HNB_j）のＣＰＩＣＨ ＲＳＣＰとして定義される。RSCP_iは、アクセス端末「ｉ」によって測定されたＲＳＳＩである。Ecp/Io_iおよびEcp/Nt_iは、それぞれその関連フェムト・ノード「ｉ」からのアクセス端末「ｉ」のＣＰＩＣＨ Ecp/IoおよびＣＰＩＣＨ ＳＩＮＲ（信号対干渉および雑音比）である。フェムト・ノードは、下記を計算する：
【数９】
2014003680.tif 000011
【０１０７】
ここで、Ecp/Iorは、セルの総電力に対するＣＰＩＨパイロット電力の比である。
【０１０８】
フェムト・ノードは、ホーム・アクセス端末がPLHNB_Coverageのパスロスに対応するフェムト・ノード・カバレッジの端にあった場合、ホーム・アクセス端末のEcp/Ioを推定する：
【数１０】
2014003680.tif 000012
【０１０９】
ここで、RSCP_i_iHNB_Coverageは、フェムト・ノード「ｉ」カバレッジの端においてそれ自身のフェムト・ノード「ｉ」からのアクセス端末「ｉ」における受信パイロット強度である。カバレッジの端は、PLHNB_Convergeおよび
【数１１】
2014003680.tif 000013
【０１１０】
に等しいフェムト・ノードからのパスロスに対応する。
【０１１１】
（Ecp/Io）_Trgt_Aをフェムト・ノードにおいて事前設定されたＣＰＩＨ Ecp/Ioに関する閾値とする。フェムト・ノードは、以下をチェックする：
【数１２】
2014003680.tif 000014
【０１１２】
回答がイエス（YES）であれば、フェムト・ノードは、送信電力を低減させる要求を送らない。回答がノー（NO）であれば、フェムト・ノードは、以下で述べるように送信電力を低減させる要求を送る。追加で或いは代替として、フェムト・ノードは、処理能力（例えば、SINR_i）に関係する同様のテストを実行し得る。
【０１１３】
フェムト・ノードは、その電力をマクロ・セル・カバレッジ・ホール条件によって許容される最大値にセットする。フェムト・ノード「ｉ」は、近隣セルをホーム・アクセス端末のレポートされたＲＳＣＰの降順にランク付けする。フェムト・ノード「ｉ」は、最高ＲＳＣＰ値、RSCP_i_jを有する近隣セル・フェムト・ノード「ｊ」を選別する。
【０１１４】
サービスするフェムト・ノード「ｉ」は、フェムト・ノード「ｊ」がそのアクセス端末「ｉ」の性能が改善するようなその送信電力をどれくらい低くする必要があるかを計算する。（Ecp/Io）_Trgt_Aをフェムト・ノードにおいて事前設定されるホーム・アクセス端末の目標ＣＰＩＨ Ecp/Ioとする。ホーム・アクセス端末が停止しないように、この目標Ecp/Ioは、選択されることができる。さらにあるデータ処理能力または性能基準を維持するためにホーム・アクセス端末の最小ジオメトリを保証することは、より積極的であることができる。（Ecp/Io）_Trgt_Aを維持するために近隣フェムト・ノード「ｊ」からアクセス端末「ｉ」によって見なされる所望のRSCP_i_jは：
【数１３】
2014003680.tif 000015
【０１１５】
として計算され得る。
【０１１６】
追加の或いは代替として、フェムト・ノードは、処理能力に関係する類似のテストを実行し得る。フェムト・ノード「ｉ」は：
【数１４】
2014003680.tif 000016
【０１１７】
のようにフェムト・ノード「ｊ」がその電力を下げるべき比alpha_p_jを計算する。
【０１１８】
フェムト・ノード「ｉ」は、その電力を比ａｌｐｈａ_ｐ_ｊだけ下げるために要求をフェムト・ノード「ｊ」へ送る。ここに議論されたように、この要求は、アッパ・レイヤ信号通信（バックホール）を通じて集中化アルゴリズムに送られるか、或いはフェムト・ノード「ｉ」からフェムト・ノード「ｊ」へ直接送られる。
【０１１９】
フェムト・ノード「ｊ」は、送信電力をHNB_Tx_new_j=alpha_p_j*HNB_Tx_jとすることによってフェムト・ノード「ｉ」の要求に応答し得るかどうかを評価する（ここでHNB_Tx_jは上のように設定される）。いくつかのインプリメンテーションでは、フェムト・ノード「ｊ」は、二つのテストをチェックする。
【０１２０】
テスト１：このテストは、図７について以前に述べたスキームに基づく。カバレッジ半径だけフェムト・ノード「ｊ」から離れている、関連ホーム・アクセス端末のＣＰＩＨ Ecp/Ioは、ある閾値(Ecp/Io)_Trgt_B以上ある。このテストは、それ自身のＵＥがフェムト・ノードの周辺のある半径内で受入可能な性能を持ち、そして別の登録ホーム・アクセス端末がまたフェムト・ノードを取得できることを保証することである。これは次のように計算される：
【数１５】
2014003680.tif 000017
【０１２１】
但し、RSSI_jおよびRSCP_j_jは、送信電力修正の前にカバレッジ半径におけるHUE_jによってフェムト・ノード「ｊ」へ通報される（或いはHNB_jによって推定される）ＲＳＳＩおよびＲＳＣＰである。このテストは：
【数１６】
2014003680.tif 000018
【０１２２】
である。
【０１２３】
テスト２：HUE_jのＣＰＩＣＨ ＳＩＮＲは、ある性能基準（例えば、処理能力のようなサービスの品質）を維持するためにある目標より大きい：
【数１７】
2014003680.tif 000019
【０１２４】
である。
【０１２５】
いずれかまたは両方のテストが（特定のインプリメンテーションにより）パスする場合、フェムト・ノード「ｊ」は、その送信電力をalpha_p_j*HNB_Tx_jになるように下げ、そして新しい電力が許容される最小値（例えば、−２０ｄＢｍ）より上であれば、ＡＣＫをフェムト・ノード「ｉ」へ送る。
【０１２６】
いずれかまたは両方のテストが失敗する場合、フェムト・ノード「ｊ」は、その送信電力を必要な値に下げない。その代りに、それは性能を損なうことなくその送信電力をどれだけ下げることができるかを計算する。言い換えれば、両方のテストを使用するインプリメンテーションにおいて、フェムト・ノードは、テスト１およびテスト２の両方が合格するようにその新しい送信電力を計算し、その送信電力を二つの高い方に下げ得る。しかしながら、現在のフェムト・ノード「ｊ」電力設定に関してどちらかのテストが失敗する場合、フェムト・ノード「ｊ」は、その電力を下げない。フェムト・ノードは、さらにそれらの電力を（例えば、ここに議論された）最小標準化限界まで下げる。これら全ての場合において、フェムト・ノード「ｊ」は、最終電力設定によってフェムト・ノード「ｉ」にＮＡＣＫをレポートし得る。
【０１２７】
以上で議論されたアルゴリズムは、フェムト・ノードがそれらの送信電力を協調して適応的に調整することを可能にする。これらのアルゴリズムは、例えば、Ecp/Io_Trgt_A、カバレッジ_半径、Ecp/Io_Trgt_B、SINR_Trgt、およびタイマのような（例えば、オペレータによって）調整できる多くのパラメータを有する。そのアルゴリズムは、学習過程によって適応される閾値を作ることによってさらに洗練され得る。
【０１２８】
いくつかの態様では、タイマは、システム性能を最適化するために（例えば、独立して）変えられ得る。アクセス端末「ｉ」がフェムト・ノード「ｉ」に接続されず、そしてフェムト・ノード「ｊ」が既にアクセス端末「ｊ」に送信しているならば、アクセス端末「ｉ」は、その低ＣＰＩＨ Ecp/Ioのためにフェムト・ノード「ｉ」を取得することができ得ない。その後以上のアルゴリズムは、各フェムト・ノードがフェムト・ノードの周辺のある半径内で最小ＣＰＩＨ Ecp/Ioを維持しようと試みる。このことの欠点は、近隣アクセス端末「ｊ」が不利になり得、一方フェムト・ノード「ｉ」がそれと関連するアクセス端末を持たないことである。近隣フェムト・ノードを連続して不利にするのを回避するために、フェムト・ノード「ｉ」はその要求においてこの要求が初期取得のためであるという命令を近隣フェムト・ノード「ｊ」に送るであろう。フェムト・ノード「ｊ」がその電力を下げることによって応答する場合、それはタイマをセットし、フェムト・ノード「ｉ」は、さらに大きなタイマをセットする。フェムト・ノード「ｊ」は、そのタイマが終了した後、その送信電力をそのデフォルト値にリセットするが、フェムト・ノード「ｉ」は、フェムト・ノード「ｉ」のタイマが終了するまで（初期取得のための）別の要求をフェムト・ノード「ｊ」へ送らないであろう。フェムト・ノード「ｉ」は、それと関連するアクセス端末がないのでRSSI_iを推定しなければならないということで問題が残る。フェムト・ノード「ｉ」は、さらに近隣干渉RSCP_jを推定しなければならない。しかしながら、フェムト・ノードが見なす最強干渉源は、必ずしもそのアクセス端末が見なすであろう最強干渉源であるとは限らない。
【０１２９】
初期取得問題を軽減するために、アクセス端末は、さらに同じPLMN_IDを持つ近隣フェムト・ノード上でアイドルモードに留まることを許容され得る。アクセス端末は、スクランブル・コードおよびそれ自身のフェムト・ノードのタイミングを含み得る留まったフェムト・ノード上の近隣リストを読み取り得る。これは、負のジオメトリにおいてそのフェムト・ノードを取得している場合にアクセス端末を有利に置くことができる。
【０１３０】
図９−１１Ｂをここに参照すると、フェムト・ノードの送信電力を制御するために集中電力制御器を採用するインプリメンテーションが述べられる。図９は、集中制御器９０２、フェムト・ノード９０４、およびアクセス端末９０６を含むサンプル・システム９００を例示する。ここで、フェムト・ノード９０４Ａは、アクセス端末９０６Ａと関連し、フェムト・ノード９０４Ｂは、アクセス端末９０６Ｂと関連する。集中電力制御器９０２は、（送信器９１２および受信器９１４コンポーネントを持つ）送受信器９１０、同様に送信電力制御器９１６を含む。いくつかの態様では、これらのコンポーネントは図２の同様に名付けられたコンポーネントの機能に類似する機能を提供し得る。
【０１３１】
図１０は、フェムト・ノード（例えば、フェムト・ノード９０４Ａ）がその関連アクセス端末（例えば、アクセス端末９０６Ａ）から受信する近隣リスト情報を集中電力制御器９０２へ単に送るインプリメンテーションにおいて実行され得る様々な動作を記述する。集中電力制御器９０２は、そこでその送信電力を低減させるためにフェムト・ノード９０４Ａの付近にあるフェムト・ノード（例えば、フェムト・ノード９０４Ａ）を要求するために以上で述べた動作と類似する動作を実行し得る。
【０１３２】
動作ブロック１００２および１００４は、以上で議論されたブロック７０２および７０４の動作と類似し得る。ブロック１００６で、フェムト・ノード９０４Ａは、アクセス端末９０６Ａから受信する近隣リスト９０８Ａを集中電力制御器９０２へ送る。ブロック１００２−１００６の動作は、フェムト・ノード９０４Ａがアクセス端末９０６Ａから近隣レポートを受信するときはいつでも通常の基準で（例えば、周期的に）繰返され得る。
【０１３３】
ブロック１００８によって表されるように、集中電力制御器９０２は、ネットワーク中の他のフェムト・ノードから類似の情報を受信し得る。ブロック１０１０で、集中電力制御器９０２は、そこでフェムト・ノードがその送信電力を低減すべきかどうかを決定するために上記で（例えば、ブロック７０６で）議論されたものと類似の動作を実行し得る。いくつかの態様では、集中電力制御器９０２は、それが多数のフェムト・ノードにおける条件に関係して受信する情報に基づいて電力制御決定を行い得る。例えば、所与のフェムト・ノードがいくつかの他のフェムト・ノードと干渉しているならば、集中電力制御器９０２は、最初にそのフェムト・ノードの電力を低減させようと試み得る。
【０１３４】
ブロック１０１２で、集中電力制御器９０２は、集中制御器９００がその送信電力を低減すべきことを決定する各フェムト・ノードにメッセージを送る。以上と同様に、この要求はフェムト・ノードがその電力を低減すべき程度を示し得る。これらの動作は、ブロック７１２および７１４の動作と類似し得る。
【０１３５】
集中電力制御器９０２は、ブロック１０１４でフェムト・ノードから応答を受信する。ブロック１０１６によって表されるように、ＮＡＣＫがブロック１０１２で出された要求に応答して受信されない場合、集中電力制御器９０２の動作フローは、ブロック１００８に戻り、そこでは集中電力制御器９０２は、ネットワーク中のフェムト・ノードから情報を受信し続け、そして上で述べた電力制御動作を実行する。
【０１３６】
一方、一以上のＮＡＣＫがブロック１０１２で出された要求に応答して受信されるならば、集中電力制御器９０２の動作フローは、ブロック１０１０に戻り、そこでは集中電力制御器９０２はそれらの送信電力を低減すべき他のフェムト・ノードを識別し、新しい電力制御メッセージを送り得る。この場合も、これらの動作は、上で議論されたブロック７１２および７１４と類似し得る。
【０１３７】
図１１Ａおよび１１Ｂは、フェムト・ノード（例えば、フェムト・ノード９０４Ａ）がその電力を低減すべき近隣フェムト・ノード（例えば、フェムト・ノード９０４Ｂ）を識別し、そしてこの情報を集中電力制御器９０２に送るインプリメンテーションにおいて実行され得る様々な動作を記述する。その後集中電力制御器９０２は、その送信電力を低減させる要求をフェムト・ノード９０４Ｂに送り得る。
【０１３８】
ブロック１１０２−１１１２の動作は、以上で議論されたブロック７０２−７１２の動作に類似し得る。ブロック１１４で、フェムト・ノード９０４Ａは、フェムト・ノード９０４Ｂを識別するメッセージを集中電力制御器９０２に送る。そのようなメッセージは、様々な形をとる。例えば、メッセージは、単一のフェムト・ノード（例えば、フェムト・ノード９０４Ｂ）を単に識別するか、或いはメッセージは、（例えば、ブロック７１２で以上に記述された）フェムト・ノードのランク付けを含み得る。そのようなリストは、さらにフェムト・ノード９０４Ａがアクセス端末９０６Ａから受信したいくつかまたは全ての近隣レポートを含み得る。ブロック１１０２−１１１４の動作は、フェムト・ノード９０４Ａがアクセス端末９０６Ａから近隣レポートを受信するときはいつでも通常の基準（例えば、定期的に）で繰返され得る。
【０１３９】
ブロック１１１６によって表されるように、集中電力制御器９０２は、ネットワーク中の他のフェムト・ノードから類似の情報を受信し得る。ブロック１１１８で、集中電力制御器９０２はそれが受信する送信電力における低減のなんらかの要求に対して（例えば、同じフェムト・ノードの電力の低減を要求するそれが受信する他の要求に基づいて）なんらかの調整を行うべきかどうかを決定し得る。
【０１４０】
ブロック１１２０で、集中電力制御器９０２は、そこで集中電力制御器９０２がその電力を低減すべきことを決定するメッセージを各フェムト・ノードに送り得る。以上と同様に、この要求は、指定されたフェムト・ノードがその電力を低減すべき程度を示し得る。
【０１４１】
集中電力制御器９０２は、ブロック１１２２でフェムト・ノードから応答を受信する。ブロック１１２４によって表されるように、ＮＡＣＫがブロック１１２０で出された要求に応答して受信されない場合、集中電力制御器９０２の動作フローは、ブロック１１１６に戻る。ここで集中電力制御器９０２は、ネットワーク中のフェムト・ノードからの情報を受信し続け、以上で述べた電力制御動作を実行する。
【０１４２】
一方、一以上のＮＡＣＫがブロック１１２０で出された要求に応答して受信される場合、集中電力制御器９０２の動作フローは、ブロック１１１８に戻り、集中電力制御器９０２は、それらの送信電力を低減すべき他のフェムト・ノードを識別し得、（例えば、フェムト・ノード９０４Ａから受信されたランク付け付けリストに基づいて）新しい電力制御メッセージを送り得る。
【０１４３】
以上を考慮して、教示は、ここに近隣アクセス・ノードの送信電力を管理する効果的な方法を提供し得ることを認識すべきである。例えば、静的環境において、フェムト・ノードのダウンリンク送信電力は静的な値に調整され、それによって全てのアクセス端末のサービス要求が満足され得る。従って、全てのチャネルは、一定の電力で連続的に送信されるので、そのような解は、従来のアクセス端末と互換性がある。その上、動的な環境では、送信電力は、システム中のノードの変化するサービス要求を受入れるために動的に調整され得る。
【０１４４】
フェムト・ノード環境に関する接続性は、様々な方法で確立され得る。例えば、図１２は一以上のフェムト・ノードがネットワーク環境の中に配置される典型的な通信システム１２００を例示する。特に、システム１２００は、比較的小規模のネットワーク環境（例えば、一以上のユーザ住宅１２３０）に取付けられた多数のフェムト・ノード１２１０（例えば、フェムト・ノード１２１０Ａおよび１２１０Ｂ）を含む。各フェムト・ノード１２１０は、ＤＳＬルータ、ケーブル・モデム、ワイヤレスリンク、または他の接続手段（示されない）を介してワイド・エリア・ネットワーク１２４０（例えば、インターネット）およびモバイル・オペレータ・コア・ネットワーク１２５０に結合され得る。ここに議論されたように、各フェムト・ノード１２１０は、関連したアクセス端末１２２０（例えば、アクセス端末１２２０Ａ）およびオプションとして、他のアクセス端末１２２０（例えば、アクセス端末１２２０Ｂ）をサービスするように構成され得る。言い換えれば、フェムト・ノード１２２０へのアクセスは、制限され、それによって所与のアクセス端末１２２０は、指定された（例えば、ホーム）フェムト・ノード１２１０のセットによってサービスされ得るが、いずれにも指定されないフェムト・ノード１２１０（例えば、近隣のフェムト・ノード１２１０）によるサービスを受け得ない。
【０１４５】
フェムト・ノード１２１０の所有者（owner）は、モバイル・オペレータ・コア・ネットワーク１２５０によって提供され得る、例えば、３Ｇモバイル・サービスのようなモバイル・サービスに加入し得る。その上、アクセス端末１２２０は、マクロ環境において、そして小規模（例えば、住居向け）ネットワーク環境において、双方で動作することが可能であり得る。言い換えれば、アクセス端末１２２０の現在の場所に応じて、アクセス端末１２２０は、マクロ・セル・モバイル・ネットワーク１２５０のアクセス・ノード１２６０により、或いはフェムト・ノード１２１０のセットのうちの任意の１つ（例えば、対応するユーザ住居１２３０の中に在駐するフェムト・ノード１２１０Ａおよび１２１０Ｂ）によりサービスを受け得る。例えば、加入者が加入者宅外にいる場合、加入者は、標準マクロ・アクセス・ノード（例えば、ノード１２６０）によりサービスを受け、そして加入者が家にいる場合、加入者は、フェムト・ノード（例えば、ノード１２１０Ａ）によりサービスを受ける。ここで、フェムト・ノード１２１０は、現存するアクセス端末１２２０と下位互換性があり得ることを認識すべきである。
【０１４６】
フェムト・ノード１２１０は、単一の周波数上に、或いは代替として、多重周波数上に配置され得る。特定の構成に応じて、単一或いは多重周波数がマクロ・ノード（例えば、ノード１２６０）によって使用される一以上の周波数とオーバーラップし得る。
【０１４７】
アクセス端末１２２０は、マクロ・ネットワーク１２５０またはフェムト・ノード１２１０のいずれかと通信するように構成され得るが、両方同時ではない。その上、フェムト・ノード１２１０によりサービスされるアクセス端末１２２０は、マクロ・ネットワーク１２５０とソフト・ハンドオフ状態にはなり得ない。
【０１４８】
いくつかの態様では、アクセス端末１２２０は、そのような接続性が可能であるときはいつでも好ましいフェムト・ノード（例えば、アクセス端末１２２０のホーム・フェムト・ノード）に接続するよう構成され得る。例えば、アクセス端末１２２０がユーザの住宅１２３０の中にあるときはいつでも、アクセス端末１２２０は、ホーム・フェムト・ノード１２１０とのみ通信することが望まれ得る。
【０１４９】
いくつかの態様では、アクセス端末１２２０は、マクロ・セルラ・ネットワーク内で動作するが（例えば、好ましいローミング・リストに定義されたように）その最も好ましいネットワーク上に存在していない場合、アクセス端末１２２０は、より良いシステム再選択（ＢＳＲ：Better System Reselection）を使用して最も好ましいネットワーク（例えば、好ましいフェムト・ノード１２１０）を探し続け得る。なおＢＳＲは、より良いシステムが現在利用可能かどうかを判断するために利用可能なシステムの周期的スキャニング、およびそのような好ましいシステムと関連させるための次の努力を包含し得る。取得エントリと共に、アクセス端末１２２０は、特定の帯域およびチャネルの探索を制限し得る。例えば、最も好ましいシステムの探索は、周期的に繰返され得る。好ましいフェムト・ノード１２１０の発見に関して、アクセス端末１２２０は、カバレッジ・エリア内に留まるためにフェムト・ノード１２１０を選択する。
【０１５０】
教示は、ここに多数のワイヤレスアクセス端末の通信を同時にサポートするワイヤレス多元アクセス通信システムにおいて採用され得る。以上で言及したように、各端末は、一以上の基地局とフォワードおよびリバース・リンク上の送信を介して通信する。フォワード・リンク（または、ダウンリンク）は、基地局から端末への通信リンクを云い、そしてリバース・リンク（または、アップリンク）は、端末から基地局への通信リンクを云う。この通信リンクは、単入力−多出力、多入力−多出力（ＭＩＭＯ）、またはいくつかの他の形式のシステムによって確立され得る。
【０１５１】
ＭＩＭＯシステムは、データ送信のために多数（ＮＴ）の送信アンテナおよび多数（ＮＲ）の受信アンテナを採用する。ＮＴ個の送信アンテナおよびＮＲ個の受信アンテナによって形成されたＭＩＭＯチャネルは、ＮＳ個の独立チャネルに分解され、それは空間チャネルと云われる（但し、NS≦min{NT，NR} である）。ＮＳ個の独立チャネルの各々は、次元に対応する。多数の送信および受信アンテナによって作り出された追加の次元が利用される場合、ＭＩＭＯシステムは、改良された性能（例えば、高い処理能力および／または大きな信頼性）を提供し得る。
【０１５２】
ＭＩＭＯシステムは、時分割二重化（ＴＤＤ）および周波数分割二重化（ＦＤＤ）をサポートする。ＴＤＤシステムでは、フォワードおよびリバース・リンク送信は相互原理がリバース・リンク・チャネルからフォワード・リンク・チャネルの推定を可能にするために同じ周波数領域上にある。これによってアクセス・ポイントは多数のアンテナがアクセス・ポイントで利用可能なとき、フォワード・リンク上でビーム形成利得を引出すことが可能になる。
【０１５３】
この中の教示は、少なくとも一つの他のノードと通信するための様々なコンポーネントを採用するノード（例えば、デバイス）に組み込まれ得る。図１３は、ノード間の通信を容易にするために採用され得るいくつかのサンプル・コンポーネントを示す。特に、図１３はＭＩＭＯシステム１３００のワイヤレス・デバイス１３１０（例えば、アクセス・ポイント）およびワイヤレス・デバイス１３５０（例えば、アクセス端末）を例示する。デバイス１３１０では、いくつかのデータ・ストリームのトラヒック・データはデータ・ソース１３１２から送信（「ＴＸ」）データ・プロセッサ１３１４へ提供される。
【０１５４】
いくつかの態様では、各データ・ストリームは、それぞれのアンテナ上で送信される。ＴＸデータ・プロセッサ１３１４は、符号化データを提供するそのデータ・ストリームのために選択された特定の符号化手法に基づいて各データ・ストリームについてトラフィック・データをフォーマットし、符号化し、インタリーブする。
【０１５５】
各データ・ストリームの符号化データは、ＯＦＤＭ技術を使用してパイロット・データとともに多重化され得る。パイロット・データは、一般的に既知の方法で処理される既知のデータ・パターンであり、そしてチャネル応答を推定するために受信器システムで使用され得る。各データ・ストリームの多重化パイロットおよび符号化データは、そこで変調シンボルを提供するためにそのデータ・ストリームのために選択された特定の変調手法（例えば、ＢＰＳＫ、ＱＰＳＫ、Ｍ−ＰＳＫ、またはＭ−ＱＡＭ）に基づいて変調される（即ち、シンボルマップされる）。各データ・ストリームのデータ・レート、符号化、および変調はプロセッサ１３３０によって実行される命令によって決定され得る。データ・メモリ１３３２はプログラム・コード、データ、およびプロセッサ１３３０またはデバイス１３１０の他のコンポーネントによって使用される他の情報を記憶し得る。
【０１５６】
全てのデータ・ストリームの変調シンボルは、ＴＸ ＭＩＭＯプロセッサ１３２０へ提供され、それはさらに（例えば、ＯＦＤＭの）変調シンボルを処理し得る。ＴＸ ＭＩＭＯプロセッサ１３２０は、そこでＮＴ個の変調シンボル・ストリームをＮＴ個の送受信器（「ＸＣＶＲ」）１３２２Ａ〜１３２２Ｔに提供する。いくつかの態様では、ＴＸ ＭＩＭＯプロセッサ１３２０は、ビームフォーミング重みをデータ・ストリームのシンボルへ、およびそのシンボルが送信されているアンテナへ適用する。
【０１５７】
各送受信器１３３２は、一以上のアナログ信号を提供するためにそれぞれのシンボル・ストリームを受信し、処理し、そしてＭＩＭＯチャネル上で送信に適切な変調信号を提供するためにアナログ信号をさらに調整（例えば、増幅、フィルタ、およびアップコンバート）する。送受信器１３２２Ａ〜１３２２ＴのＮＴ個の変調信号はＮＴ個のアンテナ１３２４Ａ〜１３２４Ｔから送信される。
【０１５８】
デバイス１３５０で、送信変調信号は、ＮＲ個のアンテナ１３５２Ａ〜１３５２Ｒによって受信され、そして各アンテナ１３５２からの受信信号はそれぞれの送受信器（「ＸＣＶＲ」）１３５４Ａ〜１３５４Ｒに提供される。各送受信器１３５４は、それぞれの受信信号を調整（例えば、フィルタ、増幅、そしてダウンコンバート）し、サンプルを提供するために調整された信号をデジタル化し、そしてさらに対応する「受信」シンボルを提供するためにサンプルを処理する。
【０１５９】
受信（「ＲＸ」）データ・プロセッサ１３６０は、ＮＴ個の「検出」シンボル・ストリームを提供するために特定の受信器処理技術に基づいてＮＲ個の受信シンボル・ストリームをＮＲ個の送受信器１３５４から受信される。ＲＸデータ・プロセッサ１３６０は、そこでデータ・ストリームのトラフィック・データを復元するために各検出シンボル・ストリームを復調し、デインタリーブし、そして復号する。ＲＸデータ・プロセッサ１３６０による処理は、デバイス１３１０においてＴＸ ＭＩＭＯプロセッサ１３２０およびＴＸデータ・プロセッサ１３１４によって実行される処理と相補的である。
【０１６０】
プロセッサ１３７０は、どちらの事前符号化（precoding）行列を使用するかを周期的に決定する（下記で議論される）。プロセッサ１３７０は、行列指数部分および階数値（rank value）部分を含むリバース・リンク・メッセージを定式化する。データ・メモリ１３７２はプログラム・コード、データ、およびプロセッサ１３７０またはデバイス１３５０の他のコンポーネントによって使用される他の情報を記憶し得る。
【０１６１】
リバース・リンク・メッセージは、通信リンクおよび／または受信データ・ストリームに関する様々な形式の情報を備え得る。リバース・リンク・メッセージは、そこでＴＸデータ・プロセッサ１３３８（それはまたいくつかのデータ・ストリームのトラヒック・データをデータ・ソース１３３６から受信する）によって処理され、変調器１３８０によって変調され、送受信器１３５４Ａ〜１３５４Ｒによって調整され、そしてデバイス１３１０のもとへ送信される。
【０１６２】
デバイス１３１０では、デバイス１３５０からの変調信号は、デバイス１３５０によって送信されたリバース・リンク・メッセージを取出すためにアンテナ１３２４によって受信され、送受信器１３２２によって調整され、復調器（「ＤＥＭＯＤ」）１３４０によって復調され、ＲＸデータ・プロセッサ１３４２によって処理される。プロセッサ１３３０は、そこでビームフォーミング重みを決定するためにどの事前符号化行列を使用するかを決定し、そして取出されたメッセージを処理する。
【０１６３】
さらに図１３は、通信コンポーネントがここに教示した電力制御動作を実行する一以上のコンポーネントを含み得ることを例示する。例えば、電力制御コンポーネント１３９０は、ここに教示した別のデバイス（例えば、デバイス１３５０）へ信号を送る／から信号を受信するためにプロセッサ１３３０および／または他のコンポーネントと協同し得る。同様に、電力制御コンポーネント１３９２は、別のデバイス（例えば、デバイス１３１０）へ信号を送る／から信号を受信するためにプロセッサ１３７０および／またはデバイス１３５０の他のコンポーネントと協同し得る。各デバイス１３１０および１３５０について、二以上の記述コンポーネントの機能は、単一コンポーネントによって提供され得ることを認識すべきである。例えば、一つの処理コンポーネントは、電力制御コンポーネント１３９０およびプロセッサ１３３０の機能を提供し、そして一つの処理コンポーネントは、電力制御コンポーネント１３９２およびプロセッサ１３７０の機能を提供し得る。
【０１６４】
その教示は、ここに様々な形式の通信システムおよび／またはシステム・コンポーネントに組み込まれ得る。いくつかの態様では、その教示は、ここに利用可能なシステム資源を共有することによって（例えば、一以上の帯域幅、送信電力、符号化、インタリーブ、等々を指定することによって）多数のユーザとの通信をサポートすることが可能な多元アクセス・システムにおいて採用され得る。例えば、その教示は、ここに次の技術のどれかまたは組み合せに適用され得る、即ち：符号分割多元接続（「ＣＤＭＡ」）システム、マルチ・キャリアＣＤＭＡ（「ＭＣＣＤＭＡ」）、広帯域ＣＤＭＡ（「Ｗ−ＣＤＭＡ」）、高速パケット・アクセス（「ＨＳＰＡ」、「ＨＳＰＡ＋」）システム、高速ダウンリンク・パケット・アクセス（「ＨＳＤＰＡ」）システム、時分割多元接続（「ＴＤＭＡ」）システム、周波数分割多元接続（「ＦＤＭＡ」）システム、単一キャリアＦＤＭＡ（「ＳＣ−ＦＤＭＡ」）システム、直交周波数分割多元接続（「ＯＦＤＭＡ」）システム、または他の多元アクセス技法である。ここにその教示を採用するワイヤレス通信システムは、ＩＳ−９５、ｃｄｍａ２０００、ＩＳ−８５６、Ｗ−ＣＤＭＡ、ＴＤＳＣＤＭＡ、および他の標準など、一以上の標準をインプリメントするように設計され得る。ＣＤＭＡネットワークは、汎用地上無線アクセス（Universal Terrestrial Radio Access：ＵＴＲＡ）、ｃｄｍａ２０００、または他の技法の無線技法をインプリメントし得る。ＵＴＲＡは、Ｗ−ＣＤＭＡおよびロウ・チップ・レート（「ＬＣＲ」）を含む。ｃｄｍａ２０００技法は、ＩＳ−２０００、ＩＳ−９５およびＩＳ−８５６標準を対象とする。ＴＤＭＡネットワークはグローバル・モバイル・システム・フォー・モバイル・コミュニケーション（「ＧＳＭ（登録商標）」）のような無線技法をインプリメントし得る。ＯＦＤＭＡネットワークは、進化ＵＴＲＡ（「Ｅ−ＵＴＲＡ」）、ＩＥＥＥ８０２．１１、ＩＥＥＥ８０２．１６、ＩＥＥＥ８０２．２０、フラッシュ−ＯＦＤＭ（登録商標）、等のような無線技法をインプリメントし得る。ＵＴＲＡ、Ｅ−ＵＴＲＡ、およびＧＳＭ（登録商標）は、ユニバーサル・モバイル・テレコミュニケーション・システム（「ＵＭＴＳ」）の一部である。その教示は、ここに３ＧＰＰロング・ターム・エボリューション（「ＬＴＥ」）システム、ウルトラモバイル・ブロードバンド（「ＵＭＢ」）、および他の形式のシステムにおいてインプリメントされ得る。ＬＴＥは、Ｅ−ＵＴＲＡを使用するＵＭＴＳの公開版である。開示のある態様は、３ＧＰＰ用語を使用して記述され得る、教示は、３ＧＰＰ（Ｒｅ１９９、Ｒｅ１５、Ｒｅ１６、Ｒｅ１７）技法、同様に３ＧＰＰ２（ＩｘＲＴＴ、ｌｘＥＸＤＯ １Ｏ、ＲｅｖＡ、ＲｅｖＢ）技法および他の技術に適用され得ることを理解すべきである。
【０１６５】
その教示は、ここに様々な装置（例えば、ノード）に組み込まれる（例えば、様々な装置の中でインプリメントされる）。例えば、ここに議論されたアクセス・ノードは、アクセス・ポイント（「ＡＰ」）、基地局（「ＢＳ」）、ノードＢ、無線ネットワーク制御器（「ＲＮＣ」）、ｅノードＢ、基地局制御器（「ＢＳＣ」）、基地送受信局（「ＢＴＳ」）、送受信器機能（「ＴＦ」）、無線ルータ、無線送受信器、基本サービス装置（「ＢＳＳ」）、拡張サービス装置（「ＥＳＳ」）、無線基地局（「ＲＢＳ」）、フェムト・ノード、ピコ・ノード、または他の用語によって構成され、或いは称される。
【０１６６】
その上、ここに議論されたアクセス端末は、移動局、ユーザ装置、加入者ユニット、加入者局、遠隔局、遠隔端末装置、ユーザ端末、ユーザ・エージェント、またはユーザ・デバイスと称され得る。いくつかのインプリメンテーションでは、そのようなノードは、セルラ電話、コードレス電話、セッション開始プロトコル（「ＳＩＰ」）電話、ワイヤレス・ローカル・ループ（「ＷＬＬ」）局、携帯情報機器（「ＰＤＡ」）、ワイヤレス接続機能を有する携帯用デバイス、またはワイヤレス・モデムに接続された他の適当な処理デバイスからなり、その中でインプリメントされ、或いはそれらを含む。
【０１６７】
従って、ここに教示された一以上の態様は、様々な形式の装置からなり、その中でインプリメントされ、或いはそれらを含み得る。そのような装置は、電話（例えば、携帯電話またはスマート・フォン）、コンピュータ（例えば、ラップトップ）、ポータブル通信デバイス、ポータブル計算デバイス（例えば、携帯情報機器）、娯楽デバイス（例えば、音楽またはビデオ・デバイス、または衛星ラジオ）、グローバル・ポジショニング・システム・デバイス、またはワイヤレス媒体を介して通信するよう構成された任意の他の適当なデバイスを備え得る。
【０１６８】
上記に言及したように、いくつかの態様ではワイヤレス・ノードは、通信システムのためのアクセス・ノード（例えば、アクセス・ポイント）を備え得る。そのようなアクセス・ノードは、例えば、有線またはワイヤレス通信リンクを介してネットワーク（例えば、インターネットまたはセルラ・ネットワークといったワイド・エリア・ネットワーク）またはそれへの接続性を提供し得る。従って、アクセス・ノードによって別のノード（例えば、アクセス端末）は、ネットワークまたは他の機能にアクセスすることが可能になり得る。その上、一つまたは両方のノードは携帯可能であり、或いはある場合には、相対的に携帯不可能であることを認識すべきである。同じく、ワイヤレス・ノード（例えば、ワイヤレス・デバイス）はまた適切な通信インタフェースを介して（例えば、有線接続を介して）非ワイヤレスな方法で情報を送信し、および／または受信することが可能であることを認識すべきである。
【０１６９】
ワイヤレス・ノードは、任意の適当なワイヤレス通信技法に基づき、あるいはそれをサポートする一以上のワイヤレス通信回線を介して通信し得る。例えば、いくつかの態様では、ワイヤレス・ノードは、ネットワークと関連し得る。いくつかの態様では、そのネットワークは、ローカル・エリア・ネットワークまたはワイド・エリア・ネットワークを備え得る。ワイヤレス・デバイスは、様々なワイヤレス通信技術、プロトコル、またはここに議論された事柄（例えば、ＣＤＭＡ、ＴＤＭＡ、ＯＦＤＭ、ＯＦＤＭＡ、ＷｉＭＡＸ、Ｗｉ−Ｆｉ、等々）をサポートし、あるいは使用し得る。同様に、ワイヤレス・ノードは、一以上の様々な対応する変調または多重化手法をサポートし、あるいは使用し得る。ワイヤレス・ノードは、このように上記または他のワイヤレス通信技法を使用して一以上のワイヤレス通信リンクを介して構築し、通信する適切なコンポーネント（例えば、エア・インタフェース）を含む。例えば、ワイヤレス・ノードはワイヤレス媒体上で通信を促進する様々なコンポーネント（例えば、信号発生器および信号処理器）を含む関連の送信器および受信器コンポーネントを持つワイヤレス送受信器を備え得る。
【０１７０】
ここに述べたコンポーネントは、様々な方法でインプリメントされ得る。図１４−１５を参照すると、装置１４００−１５００が一連の相互関係のある機能的ブロックとして表される。いくつかの態様では、これらのブロックの機能は、一以上のプロセッサ・コンポーネントを含む処理システムとしてインプリメントされ得る。いくつかの態様では、これらのブロックの機能は、例えば、一以上の集積回路（例えば、ＡＳＩＣ）の少なくとも一部を使用してインプリメントされ得る。ここに議論されたように、集積回路は、プロセッサ、ソフトウェア、他の関係コンポーネント、またはそのいくつかの組み合せを含み得る。これらのブロックの機能はまたここに教示した他の方法でインプリメントされ得る。
【０１７１】
装置１４００−１５００は、様々な図に関して上で述べた一以上の機能を実行する一以上のモジュールを含み得る。例えば、最大受信信号強度決定手段１４０２は、例えば、ここに議論された受信信号強度決定器に対応し得る。総受信信号強度決定手段１４０４は、例えば、ここに論じた総信号強度決定器に対応し得る。送信電力決定手段１４０６は、例えば、ここに議論された送信電力制御器に対応し得る。受信手段１５０２は、例えば、ここに議論された受信器に対応し得る。識別手段１５０４は、例えば、ここに議論された送信電力制御器に対応し得る。送信手段１５０６は、例えば、ここに議論された送信器に対応し得る。
【０１７２】
「第１の（first）」、「第２の（second）」、等々といった指定をここで使用したエレメントの任意の参照は、一般にそれらのエレメントの量または順序を制限しないことを理解すべきである。むしろ、これらの指定は、二つ以上のエレメントまたはエレメントのインスタンスの間を区別する便利な方法としてここに使用され得る。このように、第１および第２の要素の参照は、ただ二つの要素がそこに使用されること、および第１の要素がある方法において第２の要素に先行しなければならないことを意味するものではない。同じく、別に述べない限り、一組の要素は一つ以上の要素を備え得る。
【０１７３】
当業者は、情報および信号が様々な異なる技術および技法を使用して表され得ることを理解するであろう。例えば、上記の記述を通じて参照されるデータ、指示、命令、情報、信号、ビット、シンボル、およびチップは電圧、電流、電磁波、磁場または粒子、光学場または粒子、またはそれの任意の組み合せによって表され得る。
【０１７４】
当業者はここに開示した態様に関連して述べた様々な例示の論理ブロック、モジュール、プロセッサ、手段、回路、およびアルゴリズム・ステップは電子ハードウェア（例えば、デジタル・インプリメンテーション、アナログ・インプリメンテーション、またはその二つの組み合せ、それらはソース・コーディングまたはある他の技法を使用して設計される）、命令を組み込む様々な形式のプログラムまたは設計コード（ここでは便宜上、「ソフトウェア」または「ソフトウェア・モジュール」として参照される）、または両方の組み合せとしてインプリメントされることをさらに認識するであろう。ハードウェアおよびソフトウェアのこの互換性を明らかに例示するために、様々な例示のコンポーネント、ブロック、モジュール、回路、およびステップは一般にそれらの機能に関して上記で述べられてきた。そのような機能がハードウェアまたはソフトウェアとしてインプリメントされるかどうかは特定のアプリケーション、および全体システムに課せられた設計制約に依存する。当業者は、特定の各アプリケーション方法を変えて記述された機能をインプリメントするが、そのようなインプリメンテーション決定は現在の開示の範囲からの逸脱を引き起こすとして解釈すべきでない。
【０１７５】
ここに開示した態様に関連して述べた様々な例示の論理ブロック、モジュール、および回路は、集積回路（「ＩＣ」）、アクセス端末、またはアクセス・ポイントの中でインプリメントされ、或いはそれらによって実行される。ＩＣは、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブル論理デバイス、個別ゲートまたはトランジスタ論理、個別ハードウェア・コンポーネント、電気コンポーネント、光学コンポーネント、機械コンポーネント、ここに記述した機能を実行するために設計されたその任意の組み合せを備え、ＩＣの中、ＩＣの外、または両方に在駐するコードまたは命令を実行し得る。汎用プロセッサは、マイクロプロセッサであるが、代替として、そのプロセッサは、任意の従来のプロセッサ、コントローラ、マイクロコントローラ、またはステート・マシンである。プロセッサは、計算デバイス、例えば、ＤＳＰとマイクロプロセッサの組み合せ、複数のマイクロプロセッサ、ＤＳＰコアと連係する一以上のマイクロプロセッサ、または任意のそのような他の構成としてインプリメントされ得る。
【０１７６】
開示の処理におけるステップの特定の順序または序列は、サンプル手法の例であることが理解される。設計の好みに基づいて、現在の開示の範囲内に留まる限り、処理のステップの特定の順序または序列は再配列されることが理解され得る。付随の方法は、サンプル順序で様々なステップの現在の基本を提示しており、そして提示された特定の順序または序列に制限されることを意味するものではない。
【０１７７】
記述した機能は、ハードウェア、ソフトウェア、ファームウェア、またはその任意の組み合せでインプリメントされ得る。ソフトウェアにおいてインプリメントされる場合、その機能は、コンピュータ可読媒体上に一以上の命令またはコードとして記憶され、或いは送信され得る。コンピュータ可読媒体は、一つの場所から別の場所へコンピュータ・プログラムの移動を促進する任意の媒体を含むコンピュータ記憶媒体および通信媒体の両方を含む。記憶媒体は、コンピュータによってアクセスできる任意の利用可能な媒体であり得る。一例として、そして制限ではなく、そのようなコンピュータ可読媒体は、ＲＡＭ、ＲＯＭ、ＥＥＰＲＯＭ、ＣＤ−ＲＯＭまたは他の光ディスク記憶、磁気ディスク記憶または他の磁気記憶デバイス、または命令またはデータ構造の形で所望のプログラム・コードを運び、または記憶するために使用され、そしてコンピュータによってアクセスできる任意の他のメディアを含む。同じく、任意の接続も完全にコンピュータ可読媒体と称される。例えば、ソフトウェアが同軸ケーブル、光ファイバ・ケーブル、撚り対線（twisted pair）、デジタル加入者回線（ＤＳＬ）、或いは赤外線、高周波、およびマイクロ波といったワイヤレス技術を使用してウェブサイト、サーバ、または遠隔ソースから送信されるならば、同軸ケーブル、光ファイバ・ケーブル、撚り対線、ＤＳＬ、或いは赤外線、高周波、およびマイクロ波といったワイヤレス技術はメディアの定義に含まれる。ここに使用されるディスクおよびディスク類はコンパクト・ディスク（ＣＤ）、レーザ・ディスク、光ディスク、デジタル多用途ディスク（ＤＶＤ）、フロッピー（登録商標）・ディスク、およびブルーレイ・ディスクを含み、そこではディスクは通常磁気によってデータを再生し、一方、ディスクはレーザによって光学的にデータを再生する。上記の組み合せもまたコンピュータ可読媒体の範囲内に含まれるべきである。要するに、コンピュータ可読媒体は、任意の適当なコンピュータ・プログラム製品においてインプリメントされることを認識すべきである。
【０１７８】
開示の前記の記述は当業者が現在の開示を行い、或いは使用することを可能にするために提供される。これらの態様への様々な修正は直ちに当業者にとって明白であり、そしてここに定義された一般原理は開示の範囲から逸脱することなく他の態様に適用され得る。このように、現在の開示はここに示した態様に制限されることを意図するものではないが、ここに開示された原理および新規な特徴と一致する最も広い範囲を与えられるべきである。
【０１７９】
以下に、本願出願の当初の特許請求の範囲に記載された発明を付記する。
［Ｃ１］
最大受信信号強度を決定することと、
総受信信号強度を決定することと、
前記決定最大受信信号強度および前記総受信信号強度に基づいて送信電力値を決定することと、
を備えるワイヤレス通信の方法。
［Ｃ２］
ノードからのパイロット信号と関連する受信パイロット信号強度を決定することをさらに備え、前記送信電力値の決定は、さらに前記決定された受信パイロット信号強度に基づく、
Ｃ１に記載の方法。
［Ｃ３］
前記受信パイロット信号強度の前記決定は、複数のマクロ基地局からパイロット信号を受信することと、前記パイロット信号のどれが最高受信信号強度を有するかを決定することとを備え、
前記決定された受信パイロット信号強度は、前記最高受信信号強度に対応する、
Ｃ２に記載の方法。
［Ｃ４］
前記送信電力値は、基地局のダウンリンク送信電力値を備える、
Ｃ１に記載の方法。
［Ｃ５］
前記送信電力値は、最大送信電力値を備える、
Ｃ１に記載の方法。
［Ｃ６］
所定の限界に基づいて前記送信電力値を制限することをさらに備える、
Ｃ１に記載の方法。
［Ｃ７］
前記送信電力値は、第１の予備最大送信電力値を備え、方法は、
少なくとも一つの他の予備最大送信電力値を決定することと、
前記第１および少なくとも一つの他の予備最大送信電力値の最小値に基づいて最大送信電力値を決定することと、
をさらに備える、Ｃ１に記載の方法。
［Ｃ８］
前記送信電力値は、フェムト・ノードまたはピコ・ノードのために決定される、
Ｃ１に記載の方法。
［Ｃ９］
前記送信電力値が決定されるアクセス・ノードのカバレッジ・エリア内にノードがあるかどうかを決定することと、
前記ノードが前記カバレッジ・エリア内にあるかどうかの前記決定に基づいて前記決定送信電力値を調整することと、
をさらに備える、Ｃ１に記載の方法。
［Ｃ１０］
前記送信電力値は、フェムト・ノードまたはピコ・ノードのために決定される、
Ｃ１に記載の方法。
［Ｃ１１］
受信器における最大受信信号強度を決定するように構成された受信信号強度決定器と、  総受信信号強度を決定するように構成された総受信信号強度決定器と、
前記受信器における前記決定された最大受信信号強度および前記決定総受信信号強度に基づいて送信電力値を決定するように構成された送信電力制御器と、
を備えるワイヤレス通信のための装置。
［Ｃ１２］
前記受信信号強度決定器は、ノードからのパイロット信号と関連する受信パイロット信号強度を決定するようにさら構成され、前記送信電力制御器は、前記送信電力値が前記決定された受信パイロット信号強度にさらに基づいて決定するようにさらに構成される、  Ｃ１１に記載の装置。
［Ｃ１３］
前記受信パイロット信号強度の前記決定は、複数のマクロ基地局からパイロット信号を受信し、前記パイロット信号のどれが最高受信信号強度を有するかを決定すること、を備え、
前記決定された受信パイロット信号強度は、前記最高受信信号強度に対応する、
Ｃ１２に記載の装置。
［Ｃ１４］
前記送信電力値は、基地局のダウンリンク送信電力値を備える、
Ｃ１１に記載の装置。
［Ｃ１５］
前記送信電力値は、最大送信電力値を備える、
Ｃ１１に記載の装置。
［Ｃ１６］
所定の限界に基づいて前記送信電力値を制限するように構成された限界決定器をさらに備える、
Ｃ１１に記載の装置。
［Ｃ１７］
前記送信電力値は、第１の予備最大送信電力値を備え、前記送信電力制御器は、
少なくとも一つの他の予備最大送信電力値を決定し、
前記第１および少なくとも一つの他の予備最大送信電力値の最小値に基づいて最大送信電力値を決定する、
ようにさらに構成される、Ｃ１１に記載の装置。
［Ｃ１８］
前記送信電力値は、フェムト・ノードまたはピコ・ノードのために決定される、
Ｃ１１に記載の装置。
［Ｃ１９］
前記送信電力値が決定されるアクセス・ノードのカバレッジ・エリア内にノードがあるかどうかを決定するように構成されたノード検出器と、
前記ノードが前記カバレッジ・エリア内にあるかどうかの決定に基づいて前記決定送信電力値を調整するようにさらに構成された前記送信電力制御器と、
をさらに備える、Ｃ１１に記載の装置。
［Ｃ２０］
前記送信電力値は、フェムト・ノードまたはピコ・ノードのために決定される、
Ｃ１１に記載の装置。
［Ｃ２１］
最大受信信号強度を決定するための手段と、
総受信信号強度を決定するための手段と、
前記決定最大受信信号強度および前記総受信信号強度に基づいて送信電力値を決定するための手段と、
を備える、ワイヤレス通信のための装置。
［Ｃ２２］
ノードからのパイロット信号と関連する受信パイロット信号強度を決定するための手段をさらに備え、前記送信電力値の前記決定は、前記決定された受信パイロット信号強度に基づく、
Ｃ２１に記載の装置。
［Ｃ２３］
前記受信パイロット信号強度の前記決定は、複数のマクロ基地局からパイロット信号を受信するための手段と、前記パイロット信号のどれが最高受信信号強度を有するかを決定するための手段と、を備え、
前記決定された受信パイロット信号強度は、前記最高受信信号強度に対応する、
Ｃ２２に記載の装置。
［Ｃ２４］
前記送信電力値は、基地局のダウンリンク送信電力値を備える、
Ｃ２１に記載の装置。
［Ｃ２５］
前記送信電力値は、最大送信電力値を備える、
Ｃ２１に記載の装置。
［Ｃ２６］
所定の限界に基づいて前記送信電力値を制限するための手段をさらに備える、
Ｃ２１に記載の装置。
［Ｃ２７］
前記送信電力値は、第１の予備最大送信電力値を備え、前記装置は、
少なくとも一つの他の予備最大送信電力値を決定するための手段と、
前記第１および少なくとも一つの他の予備最大送信電力値の最小値に基づいて最大送信電力値を決定するための手段と、
をさらに備える、Ｃ２１に記載の装置。
［Ｃ２８］
前記送信電力値は、フェムト・ノードまたはピコ・ノードについて決定される、Ｃ２１に記載の装置。
［Ｃ２９］
前記送信電力値が決定されるためのアクセス・ノードのカバレッジ・エリア内にノードがあるかどうかを決定するための手段と、
前記ノードが前記カバレッジ・エリア内にあるかどうかの決定に基づいて前記決定送信電力値を調整するための手段と、
をさらに備える、Ｃ２１に記載の装置。
［Ｃ３０］
前記送信電力値は、フェムト・ノードまたはピコ・ノードのために決定される、
Ｃ２１に記載の装置。
［Ｃ３１］
最大受信信号強度を決定し、
総受信信号強度を決定し、
前記決定最大受信信号強度および前記総受信信号強度に基づいて送信電力値を決定する、
ことをコンピュータにもたらすコードを備えるコンピュータ可読媒体、
を備えるコンピュータ・プログラム製品。
［Ｃ３２］
前記コンピュータ可読媒体は、ノードからのパイロット信号と関連する受信パイロット信号強度を決定することを前記コンピュータにもたらすコードをさらに備え、前記送信電力値の決定は、前記決定された受信パイロット信号強度にさらに基づく、
Ｃ２１に記載のコンピュータ・プログラム製品。
［Ｃ３３］
前記受信パイロット信号強度の前記決定は、複数のマクロ基地局からパイロット信号を受信し、前記パイロット信号のどれが最高受信信号強度を有するかを決定することを備え、
前記決定された受信パイロット信号強度は、前記最高受信信号強度に対応する、
Ｃ３２に記載のコンピュータ・プログラム製品。
［Ｃ３４］
前記送信電力値は、基地局のためのダウンリンク送信電力値を備え、
Ｃ３１に記載のコンピュータ・プログラム製品。
［Ｃ３５］
前記送信電力値は、最大送信電力値を備える、
Ｃ３１に記載のコンピュータ・プログラム製品。
［Ｃ３６］
前記コンピュータ可読媒体は、所定の限界に基づいて前記送信電力値を制限することを前記コンピュータにもたらすコードをさらに備える、
Ｃ１１に記載のコンピュータ・プログラム製品。
［Ｃ３７］
前記送信電力値は、第１の予備最高送信電力値を備え、前記コンピュータ可読媒体は、  少なくとも一つの他の予備最大送信電力値を決定し、
前記第１および少なくとも一つの他の予備最大送信電力値の最小値に基づいて最大送信電力値を決定する、
ことを前記コンピュータにもたらすコードをさらに備える、Ｃ３１に記載のコンピュータ・プログラム製品。
［Ｃ３８］
前記送信電力値は、フェムト・ノードまたはピコ・ノードのために決定される、Ｃ３１記載の前記コンピュータ・プログラム製品。
［Ｃ３９］
前記送信電力値が決定されるアクセス・ノードのカバレッジ・エリア内にノードがあるかどうかを決定し、
前記ノードがカバレッジ・エリア内にあるかどうかの前記決定に基づいて前記決定送信電力値を調整する、
ことを前記コンピュータにもたらすコードをさらに備える、Ｃ３１に記載のコンピュータ・プログラム製品。
［Ｃ４０］
前記送信電力値は、フェムト・ノードまたはピコ・ノードのために決定される、
Ｃ３１に記載のコンピュータ・プログラム製品。
【図１】
2014003680.tif 000020
【図２】
2014003680.tif 000021
【図３】
2014003680.tif 000022
【図４】
2014003680.tif 000023
【図５】
2014003680.tif 000024
【図６】
2014003680.tif 000025
【図７】
2014003680.tif 000026
【図８】
2014003680.tif 000027
【図９】
2014003680.tif 000028
【図１０】
2014003680.tif 000029
【図１１Ａ】
2014003680.tif 000030
【図１１Ｂ】
2014003680.tif 000031
【図１２】
2014003680.tif 000032
【図１３】
2014003680.tif 000033
【図１４】
2014003680.tif 000034
【図１５】
2014003680.tif 000035
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
最大受信信号強度を決定することと、
総受信信号強度を決定することと、
前記決定最大受信信号強度および前記総受信信号強度に基づいて送信電力値を決定することと、
を備えるワイヤレス通信の方法。